(57)【要約】      （修正有）【課題】懐中電灯やペンライトにるホログラムを最適に鑑賞する機能を持ち、装飾効果を持ち、また、ホログラムと音声再生装置等とを組み合わせた機能を持つホログラム用照明装置を提供する。【解決手段】ホログラム支持部と、光源と、光拡散体を有し、光源から主に光拡散体に照射することにより装飾効果を上げるとともに、同一または異なる光源から主にホログラムの画像領域に所定の角度から照明できるようにした。音声再生装置や背景の映像表示装置と組み合わせた場合は、ホログラム表示機能と同期制御させることにより、演出効果を高めるようにした。また、ホログラム照明光の照射方向を、当該ホログラム材料と一体化されている媒体材料の一部、及びホログラム再生機能をもつ照明装置に記載することにより、適正な観察を行えるようにした。【選択図】なし【特許請求の範囲】
【請求項１】
ホログラムまたはホログラフィックステレオグラムを支持するホログラム支持部と、光源と、上記光源を少なくとも上記ホログラムまたはホログラフィックステレオグラムの観察領域以外にも光拡散させる部分が存在する光拡散体を有するとともに、上記光源と上記ホログラムまたはホログラフィックステレオグラムとが最適な位置関係を形成するように、上記光源と上記ホログラムまたはホログラフィックステレオグラムの中心とを結ぶ線と、上記ホログラムまたはホログラフィックステレオグラムの面の法線とのなす角度が所定の角度で固定させることができ、かつ、上記光拡散体が照明されるときに該光拡散体からの拡散光が上記ホログラムまたはホログラフィックステレオグラムの再生には寄与しないようにすることを特徴とする照明装置。
【請求項２】
上記、光源から主に上記光拡散体に照射される第一の状態と、光源から主にホログラムまたはホログラフィックステレオグラムの画像領域に所定の角度から照射される第二の状態という少なくとも二つの異なる状態を、一つの装置で切り替えられることを特徴とする請求項１記載の照明装置。
【請求項３】
上記、ホログラムまたはホログラフィックステレオグラムを支持するホログラム支持部は、光拡散体を構成する板状部材に形成されており、上記光源と上記板状部材とは可動部を介して連接されており、光源を板状部材に入射させる第一の形態と、光源を所定の角度から当該ホログラム支持部を照射する第二の形態とを切り替えられる機構を有することを特徴とする請求項１記載の照明装置。
【請求項４】
上記、照明装置において、少なくともホログラム支持部を照明する光源は複数有し、異なる角度から順次に照明する機能を有することを特徴とする請求項１記載の照明装置。
【請求項５】
上記、照明装置において、ホログラム支持部を照明する光源とホログラムの為す相対角度を所定の範囲で揺動させることを特徴とする請求項１記載の照明装置。
【請求項６】
上記、照明装置において、音声再生装置を有し、光源の照射制御と音声再生とを同期させることを特徴とする請求項４または５記載の照明装置。
【請求項７】
上記、照明装置において、構成するホログラムの基材を透明とし、映像信号を表示できるディスプレイを観察者に対して該ホログラムの反対側に配置し、ホログラムを照明せずにディスプレイ表示のみをおこなう第一の状態と、ホログラムを照明する第二の状態とを切り替えて表示し、第一の状態と第二の状態とではディスプレイに表示する画像を変化させることを特徴とする画像表示機能付き照明装置。
【請求項８】
上記、照明装置において、該ホログラムを照射する第二の状態のときに、観察者に対して背景となる部分は、ディスプレイの輝度を該ディスプレイの最高輝度の１／３以下に抑えることを特徴とする請求項７記載の画像表示機能付き照明装置。
【請求項９】
上記、照明装置において、ディスプレイ正面からの観察は妨げずに、該ホログラムを照射する第二の状態のときに、ホログラムとその照明用光源とを結ぶ光線がディスプレイに到達しないようにルーバー構造をもった光学部品を該ホログラムと該ディスプレイの間に配置することを特徴とする請求項７記載の画像表示機能付き照明装置。
【請求項１０】
上記、照明装置において、該ホログラムを照射する第二の状態のときに、固定位置からの観察者がホログラム像の動きを観察するのに同期して、関連する映像をディスプレイの一部に表示することを特徴とする請求項７記載の画像表示機能付き照明装置。
【請求項１１】
上記、照明装置において、該ホログラムを照射する光源は、上記ホログラムを照射する第二状態において、上記光源と上記ホログラムの中心とを結ぶ線と、上記ホログラム面の法線とのなす角度が、観察者に対して下方４０度から８０度の間の特定の角度を保つようにして支持することを特徴とする請求項７記載の画像表示機能付き照明装置。
【請求項１２】
上記、ホログラムは、長尺フィルム状、またはその一部に形成されており、ディスプレイを挟んで離間するローラー間に張られている状態で保持し、第一のディスプレイ表示状態と第二のホログラム再生状態とでは、該フィルム状の異なる部分をディスプレイの前面に配置することを特徴とする請求項７記載の画像表示機能付き照明装置。
【請求項１３】
上記、ホログラムを観察しない第一の状態のときには、ホログラム媒体はディスプレイ前面以外の位置に隠れることを特徴とする請求項７記載の画像表示機能付き照明装置。
【請求項１４】
上記、照明装置は、パチンコ等の遊技機の内部に形成されていることを特徴とする請求項７記載の画像表示機能付き照明装置。
【請求項１５】
上記所定の角度は、上記ホログラム支持部を照射する状態において、上記光源と上記ホログラム、またはホログラフィックステレオグラムの中心とを結ぶ線と、上記ホログラムまたはホログラフィックステレオグラムの面の法線とのなす角度が、観察者に対して上方４０度から７０度の間、または下方４０度から７０度の間の特定の角度を保つようにして支持することを特徴とする請求項１記載の照明装置。
【請求項１６】
上記、照明装置において、光源を制御する方法は少なくとも２種類以上は用意し、そのうちの１種類は単一の光源が一定の時間、一定の明るさで点灯させることを特徴とする請求項１記載の照明装置。
【請求項１７】
上記、照明装置において、略円筒状の手持ち部分内部に、該円筒軸の該中心に、該円筒軸方向に照射するように配設された光源を有し、該光源からの光を透過または反射によって偏向させる部材を少なくとも一つを使い、上記ホログラム支持部に所定の角度で照射させることを特徴とする請求項１記載の照明装置。
【請求項１８】
上記、ホログラム支持部のホログラム媒体が配される領域、観察者と反対側に、異方性散乱部材、または異方性吸収部材、または偏光板を配置することを特徴とする請求項１記載の照明装置。
【請求項１９】
上記、ホログラム支持部のホログラム媒体が配される領域、観察者と同じ側に、異方性散乱部材、または異方性吸収部材、または偏光板を配置し、該異方性散乱部材または異方性吸収部材または偏光板を透過させて観察することを特徴とする請求項１記載の照明装置。
【請求項２０】
上記、光拡散体は液体中に存在する粒子、気体、異種の液体、のいずれかであることを特徴とすると請求項１記載の照明装置。
【請求項２１】
上記、ホログラムまたはホログラフィックステレオグラムを閉じた空間内部に配置し、光源を拡散させずに所定の角度で照射すると同時に、ホログラムを観察するための光学的開口部を設け、光源とホログラムまたはホログラフィックステレオグラムとの間に至る光の拡散性と同等の拡散性をもった光は、再生装置より外部に拡散せずに出射することはないように、該再生装置に拡散または吸収または遮蔽する機能をもつ部材が配されていることを特徴とする請求項１記載の照明装置。
【請求項２２】
上記、画像再生装置において、光源がホログラムまたはホログラフィックステレオグラムの表面にて正反射する光も、該再生装置に配される部材により、拡散または吸収または遮蔽され、再生装置より外部に拡散せずに出射することはないようにすることを特徴とする請求項１記載の照明装置。
【請求項２３】
上記、光は円筒先端部に配された鏡にて所定の角度に反射してホログラムまたはホログラフィックステレオグラムに入射することを特徴とする請求項１記載の照明装置。
【請求項２４】
上記、光は円筒先端部に配されたプリズム、またはプリズムシートと、反射鏡との組み合わせにて所定の角度に反射してホログラムまたはホログラフィックステレオグラムに入射することを特徴とする請求項１記載の画像再生装置。
【請求項２５】
上記、照明装置において、重力、静電力、磁力、電磁力、弾性力などにより、ホログラムまたはホログラフィックステレオグラムと照明光源との相対角度に搖動が生じ、観察者が静止していても異なるホログラム像を観察できることを特徴とする請求項１記載の照明装置。
【請求項２６】
上記、照明装置において、揺動させる機構は、無負荷状態では一方向に回転し続ける電磁回転機構に対して、少なくとも２か所の終端位置に規制部材を設けることにより構成したことを特徴とする請求項２５記載の照明装置。
【請求項２７】
上記、照明装置において、終端位置にて接触する規制部材のうちのいずれかが弾性体であることを特徴とする請求項２６記載の照明装置。
【請求項２８】
ホログラムまたはホログラフィックステレオグラムの再生装置において、配設されるべき、ホログラムまたはホログラフィックステレオグラムを記録した媒体の、観察者に対して上方から照明光を照射すべきか下方から照明光を照射すべきかの区別、最適照明角度、透過型反射型の区別、の少なくとも一つの特徴を示すシンボルマークが、該画像再生装置と一体化されている材料の一部に表示されていることを特徴とする画像再生装置。
【請求項２９】
ホログラムまたはホログラフィックステレオグラムを記録した媒体において、観察者に対して、上方から照明光を照射すべきか下方から照明光を照射すべきかの区別、最適照明角度、透過型反射型の区別、の少なくとも一つの特徴を示すシンボルマークが、該ホログラム材料と一体化されている材料の一部に記載されていることを特徴とするホログラム記録済媒体。
【請求項３０】
ホログラムまたはホログラフィックステレオグラムを記録した媒体において、照明光を照射する開口部と、ホログラムを観察するための光学的開口部と、ホログラムの照明に寄与しない光の一部を透過拡散させる拡散部材を有することを特徴とするホログラム記録済媒体。
【請求項３１】
上記、ホログラムまたはホログラフィックステレオグラムを記録した媒体において、ホログラムまたはホログラフィックステレオグラムを記録した媒体において、照明光を照射する開口部と、ホログラムを観察するための光学的開口部と、ホログラムの照明に寄与しない光の一部を透過拡散させる拡散部材に加えて、反射鏡を有することを特徴とする請求項２９記載のホログラム記録済媒体。
【発明の詳細な説明】
【技術分野】
【０００１】
この発明は、暗いところで明るくしたり、演出したりするための懐中電灯、ペンライト、デスクライト等の照明装置、及び、ディスプレイ、遊技機等の画像表示装置であって、ホログラム又はホログラフィックステレオグラムを効果的に観察するための機能を有する装置、及びそのホログラム媒体に関する。
【背景技術】
【０００２】
ホログラムは、再生光が入射されることによって立体画像（ホログラム像）を再生することが可能とされている。この再生光としては、例えばレーザ光などのようにコヒーレントな光が必要とされる場合もあるが、例えばいわゆるレインボーホログラムやリップマンホログラム等を再生する場合には、ハロゲンランプや自然光などのインコヒーレントな白色光源を再生光として用いることができる。
【０００３】
このように再生光として白色光源を用いることが可能なホログラムは、従来から、立体画像を再生することが可能なホログラムが、例えばクレジットカードにおける偽造防止等の目的で広く利用されている。また、例えば、鑑賞目的でホログラム像を展示する装置として、各種のホログラム展示装置が利用されている。
【０００４】
ホログラムに再生光が入射されると、記録時における物体光の波面が再生され、この波面が観察者によってホログラム像として観察されることとなる。
【０００５】
また、ホログラムの一種としては、いわゆるホログラフィックステレオグラムと称されるものがある。ホログラフィックステレオグラムは、例えば、被写体を異なる観察点から順次撮像することによって得られた多数の画像を原画として、これらを１枚のホログラム用記録媒体に短冊状又はドット状の要素ホログラムとして順次露光記録することによって作製される。
【０００６】
例えば、横方向のみに視差情報を有するホログラフィックステレオグラムは、図１２に示すように、被写体１００を横方向の異なる観察点から順次撮影することによって得られた複数の原画１０１ａ〜１０１ｅを、所定の光学系を有するホログラフィックステレオグラム作製装置における表示器に順次表示し、表示された画像にレーザ光を照射することで画像変調した物体光と参照光との干渉によって生じる干渉縞を短冊状の要素ホログラムとしてホログラム用記録媒体１０２に順次露光記録することによって作製される。
【０００７】
このようにして作製されたホログラフィックステレオグラムは、横方向の異なる観察点から順次撮影することによって得られた画像情報が、短冊状の要素ホログラムとして横方向に順次記録されていることから、観察者がこれをある位置から片方の目で見た場合には、各要素ホログラムの一部分として記録されている画像情報の集合体が２次元画像として識別され、また、この位置とは異なる他の位置から片方の目で見た場合には、各要素ホログラムの他の一部分として記録されている画像情報の集合体が他の２次元画像として識別される。したがって、ホログラフィックステレオグラムは、観察者がこれを両目で見た場合には、左右の目の視差により、露光記録画像が３次元画像として認識される。
【０００８】
ところで、上述したようなホログラフィックステレオグラム等のホログラムを良好に再生してホログラム像の視認性を向上させるためには、光源から再生光として放射される光の発散角をホログラムの記録時における参照光に近い状態とすること、あるいは、平行光とすることが求められる。したがって、ホログラムを再生する場合には、このホログラムと光源や観察者との空間的な位置関係、或いはこれらの物理的な形状などに応じて、観察されるホログラム像の視認性や画質が変化する。
【０００９】
したがって、特に鑑賞目的でホログラムを展示する場合には、ホログラム、光源、及び観察者の位置関係を制限することによってホログラム像の良好な再生を可能とすることが要求される。
【００１０】
このようなホログラム展示装置としては、例えば下記の特許文献１に記載されているように、ホログラムと、このホログラムに再生光を照射する光源とを備えるものが各種提案されている。
【００１１】
【特許文献１】特開平１０−０６３２１０号公報
【特許文献２】特開２００７−２４９１１４号公報  （ペン型ビューワー）
【特許文献３】特開２００８−７０４７８号公報  （ホログラム包装体）
【００１２】
また、コンサートなどで用いるペンライトとして、各種提案がある。
【特許文献４】特開２００９−１７６６９７号公報（マルチカラーペンライト）
【００１３】
また、災害時などに使用できる懐中電灯機能としても、様々な提案がある。
【００１４】
また、パチンコ等の遊技機や店舗などで使用されるＰＯＰ（ＰＯＩＮＴ  ＯＦ  ＰＵＲＣＨＡＳＥ）装置、飲料などの自動販売機等においては、高揚感を持たせたり、人目を引いたりする目的で、立体像などの演出効果を出すことが求められている。このような目的で、以下のような考案が開示されている。
【００１５】
【特許文献５】特開平０７−０８８２４７公報ホログラム像を含む透明なガラス状表示体に光を照明することにより照明しないときに見えなかった像が見えることが記載されている。しかしながら、背景が明るいとホログラム像は見づらくなる。ホログラム像を照明する際に背景となる表示体の表示を暗くするようなことはできず、ホログラム用照明により背景の表示体も同時に照明されてしまうため、ホログラム像のコントラストを上げることはできなかった。また、照明光ガラスであるが故に柔軟性がなく、表示体自体を移動させることが難しかった。さらに、表示体に着色があるとディスプレイ像の視認性が悪くなるといった問題があった。
【００１６】
【特許文献６】特開２００１−１４５７２８号公報、及び、特許４５５３４２７においても、ディスプレイとの組み合わせで、投影光により画像情報を表示する画像投影フィルムを配置するとともに、その画像投影フィルムとホログラムなどの画像再生フィルムを一枚につなぎ合わせた例が開示されている。しかし、ここでもホログラム画像を再生する際に、ホログラム画像のコントラストを上げるような処理がなされていないため、見づらいといった欠点があった。この文献２では、画像投影フィルムが必須構成要件となっているが、投影するための画像情報を保有する光学部材を準備することは大掛かりで限られた空間に配置することは難しかった。
【００１７】
【特許文献７】特開平１０−４３３８２号公報には、ハーフミラーやホログラムコンバイナーを用いて２つの表示体を合成する例が記載されており、そのうちの一つがレンチキュラ写真やホログラムによる立体像表示する例がなされているが、合成するための光学系が大きくなり、例えば規格サイズ内の遊技機に収めるように構成することは難しかった。
【００１８】
また、ホログラム再生機能と音声再生機能とを単純に組み合わせた例は、以下に開示されている。
【００１９】
【特許文献８】特開２００８−７０４７８号公報には、薄板状部材を折り畳む構造での外装部と立体構造部を有するホログラム再生装置に音声再生機能を組み込んだ例が開示されている。しかし、単純に外装部を開くと音声の再生が開始され、閉じると停止するという単純なものであり、静止して観察している人にとって、ホログラム像の再生と同期して、音声や他の媒体からの映像が再生されるといった効果はなく、演出効果としては不十分だった。
【００２０】
さらに、ホログラムは、記録されたときの条件に合う形で照明をしないと、適切な観賞ができないという問題があった。芸術作品などを除いて従来から実用化されているホログラムは、９９％以上、斜め上からの照明で再生されるように作られている。その理由は、太陽光にしても室内照明灯にしても、人間が生活する上で目の位置よりも上に光源がある場合はほとんどであるからで、一般条件下でホログラムを観察しようとした場合、斜め上から照明するのが自然だからである。よって、従来からの一般的なホログラムを照明する場合には、ホログラムに正対して斜め上方からなんらかの光を照射すれば最適ではないにしても画像は再生することができた。しかし、ホログラムを斜め下から照射するようなタイプのホログラムも流通すると、ホログラムを再生装置に装着するときに誤った向きに装着してしまい、全く鑑賞できないといった問題があり、市場で混乱を招くことになった。
【発明の開示】
【発明が解決しようとする課題】
【００２１】
ところで、特許文献１に記載されている従来のホログラム展示装置は、ホログラム、光源、及び観察者の位置関係を制限してホログラム像の視認性を向上させるために、ホログラムに対して再生光を照明する光源や光学系が複雑で大掛かりな構造とされており、大きな体積や重量を有する立体構造物とされている。したがって、従来のホログラム展示装置は、輸送や運搬に多くの労力が必要であった。
【００２２】
特許文献２に記載されているペン型ビューワーは可搬性の良いものではあるが、あくまでもホログラムを照明するための装置であり、観察するための準備に手間がかかるといった欠点があった。
【００２３】
さらに、特許文献３に記載されているホログラム包装体は、輸送中や運搬中にホログラム面に破損や損傷などが生じる危険性を排除しつつ、観察時にはホログラムと光源との相対的な位置関係を適切な位置関係を保つものではあったが、これもあくまでもホログラムを照明するための装置であり、それ以外の目的として、暗いところを明るくするとか、装飾性を高めるとかの機能をもつものとして使用することは困難であった。他にも可搬性をよくした上で所定の角度からホログラムを照明する提案はあったが、いずれも光源と光拡散体とを組み合わせたことにより、ホログラムに装飾効果を与えたり、ホログラムを観察していないときに装飾効果を与えたりするものは存在していなかった。
【００２４】
さらに、コンサートなどで用いられるペンライトとしては、特許文献４に記載されているようなマルチカラーペンライトが提案されていたり、災害時や暗闇で鍵穴を探したりする目的で懐中電灯や小型ペンライトなども多種提案されていたりするが、これを使ってホログラムを照明するためには、どの方向から光源を照明しなければならないか、の基礎知識を理解している必要があり、啓蒙しない限り使用は困難であった。
【００２５】
したがって、この発明の目的は、可搬性が良く、懐中電灯、ペンライトのように使えるもの、あるいは人に感動を与えるような装飾用ライトとして使えるものに、ホログラム像を良好に再生することが可能なホログラム観察機能を提供することにある。
【００２６】
また、ディスプレイの画像に加えて、基材が透明であるホログラムを観察者側に配置して、装飾効果を出そうとしたときに、単に組み合わせただけでは起こりうる、ホログラム画像のコントラスト劣化、ディスプレイの輝度劣化や解像度劣化、などの課題を解決しようとするものである。
【００２７】
また、音声装置や背景映像装置と組み合わせた際に、効果的な演出効果を出せなかったという課題を解決しようとするものである。
【００２８】
さらに、ホログラム媒体とホログラム再生装置とが適正に組み合わされず、画像が再生されなかったり、再生されても本来の特性が出なかったりして混乱が生じるという課題を解決しようとするものである。
【課題を解決するための手段】
【００２９】
上述の課題を解決するために、本発明は、ホログラムまたはホログラフィックステレオグラムを支持するホログラム支持部と、光源と、電池、及び、光拡散体を有し、当該光源を光拡散させる部分が存在するとともに、光源から当該ホログラムまたはホログラフィックステレオグラムの画像領域に照射される光路中と、当該ホログラムの領域中央から観察者側垂線に対して少なくとも上下２０度、左右４５度の方向領域内には、光学的に略透明な部材以外は存在していない状態で固定でき、光拡散体が照明されるときにその光拡散体からの拡散光が上記ホログラムまたはホログラフィックステレオグラムの再生に悪影響を与えないようにしたことを特徴とする照明装置である。
【００３０】
好ましい形態の一例としては、ホログラムと光源とが観察者に対して相対的に移動するようにすることで、静止している観察者に対して、動きのある映像を提供する。さらに、音声再生装置や背景となる映像表示装置と組み合わせた際に、ホログラム画像の再生と同期制御する。
【００３１】
さらに、ホログラムに対して、観察者側にとって上や下から照明するといった制約条件が生じるのに際し、ホログラム媒体にはその特性をシンボルマークとして記載し、ホログラム再生装置には、適合するホログラム媒体の種類を同様のシンボルマークとして表示する。
【発明の効果】
【００３２】
この発明によれば、懐中電灯やペンライトなど、災害時・非常時に使える機能、コンサートやイベントでの装飾・演出のために使える機能を有しつつ、ホログラムと光源との相対的な位置関係を適切な位置関係として容易に設置し、維持することができる。したがって、容易に高画質のホログラムを鑑賞することができる。
【００３３】
さらに、本発明の照明装置に配設される光拡散体も、同時または順次に照明されることにより、ホログラム単体では表現できなかったような、装飾性を持たせることが可能になる。
【００３４】
さらに、音声再生装置や背景となる映像表示装置と組み合わせて、ホログラム画像の再生と同期制御することにより、その演出効果を従来になかったレベルに高めることができる。
【００３５】
さらに、ホログラム媒体、及び、ホログラム再生装置に一目でわかりやすい観察条件を明示したことにより、複数の種類の全く異なるホログラムが流通していても混乱なく再生することができるようになる。
【発明を実施するための最良の形態】
【００３６】
以下、この発明の実施の形態について図面を参照しながら説明する。この発明は、ホログラム又はホログラフィックステレオグラムを包装体や展示装置、ペンライト、ディスプレイ、遊技機などに取り付ける場合に適用されるものである。
【００３７】
そこで、以下では、この発明を適用した装置についての説明に先だって、これら装置に取り付けられるホログラムやホログラフィックステレオグラムの一例として、ホログラフィックステレオグラムについて具体的に説明する。
【００３８】
まず、ホログラム用記録媒体に対する要素ホログラムの露光記録原理について説明する。
【００３９】
ホログラム用記録媒体３は、図１に示すように、例えばポリエチレンテレフタラート（PolyEthylene Terephthalate；以下、ＰＥＴという。）フィルムからなる支持材料たるベースフィルム４の上に光重合型フォトポリマからなる記録層たるフォトポリマ層５が形成されるとともに、このフォトポリマ層５の上に、例えばＰＥＴフィルムからなる支持材料たるカバーフィルム６が被着形成されてなり、いわゆるフィルム塗布型記録媒体として構成されている。
【００４０】
このようなホログラム用記録媒体３は、図２Ａに示すように、フォトポリマ層５を構成する光重合型フォトポリマが、初期状態においてはマトリクスポリマ中にモノマＭが均一に分散している状態にある。光重合型フォトポリマは、１０ｍＪ／ｃｍ2 乃至４００ｍＪ／ｃｍ2 のパワーを有するレーザ光ＬＡが照射されることにより、図２Ｂに示すように、露光部においてマトリクスポリマ中に均一に分散していたモノマＭが重合してポリマ化した状態となる。
【００４１】
光重合型フォトポリマは、ポリマ化するにつれて、モノマＭが周囲から移動することによりモノマＭの濃度の不均一さが生じ、これにより露光部と未露光部とで屈折率の変調が生じる。光重合型フォトポリマは、この後、図２Ｃに示すように、１０００ｍＪ／ｃｍ2程度のパワーの紫外線又は可視光ＬＢが全面に照射されることにより、マトリクスポリマ中においてモノマＭの重合が完了する。
【００４２】
ホログラム用記録媒体３においては、上述のように、フォトポリマ層５を構成する光重合型フォトポリマが、入射されたレーザ光ＬＡに応じて屈折率が変化することによって、物体光と参照光との干渉によって生じる干渉縞を屈折率の変化として露光記録される。
【００４３】
また、ホログラム用記録媒体３は、いわゆるフィルム塗布型記録媒体として構成されていることから、露光記録後に、特別な現像処理を施す工程が不要とされている。したがって、このようなホログラム用記録媒体３を用いてホログラム像を記録することによって、ホログラフィックステレオグラム作製装置において現像工程を行う構造が不要となり、装置構成を簡易化することができるとともに、ホログラフィックステレオグラムを迅速に作製することができる。
【００４４】
ここで、上述したホログラム用記録媒体３を用いてホログラフィックステレオグラムを作製するホログラフィックステレオグラム作製装置について説明する。
【００４５】
なお、以下の説明においては、短冊状の複数の要素ホログラムを１つのホログラム用記録媒体３に露光記録することにより、横方向の視差情報を有するホログラフィックステレオグラムを作製するものとして説明する。ただし、ホログラフィックステレオグラムは、例えば、ドット状の複数の要素ホログラムを１つのホログラム用記録媒体に露光記録することにより、横方向及び縦方向の視差情報を有するものであってもよいことは云うまでもない。
【００４６】
ホログラフィックステレオグラム作製装置１０は、図３に示すように、感光フィルムからなるホログラム用記録媒体３に対してホログラフィックステレオグラム画像を露光記録するものである。ホログラフィックステレオグラム作製装置１０は、露光記録対象の画像データの処理を行う画像データ処理部１１と、当該ホログラフィックステレオグラム作製装置１０を統括的に制御する制御用コンピュータ１２と、ホログラフィックステレオグラム作製用の光学系を有するホログラフィックステレオグラム作製部１３とを備える。
【００４７】
画像データ処理部１１は、少なくとも画像処理用コンピュータ１４及び記憶装置１５を有し、例えば多眼式カメラや移動式カメラ等を有する視差画像列撮像装置１から供給される視差情報を含む撮像画像データＤ１や、画像データ生成用コンピュータ２によって生成された視差情報を含むコンピュータ画像データＤ２等の画像データに基づいて、視差画像データ列Ｄ３を生成する。
【００４８】
なお、撮像画像データＤ１は、例えば多眼式カメラによる同時撮影又は移動式カメラによる連続撮影によって得られた複数の画像データであり、撮像画像データＤ１を構成する各画像データ間には視差情報が含まれる。また、コンピュータ画像データＤ２は、例えばＣＡＤ（Computer Aided Design ）やＣＧ（Computer Graphics）として作成された複数の画像データであり、コンピュータ画像データＤ２を構成する各画像データ間には視差情報が含まれる。
【００４９】
画像データ処理部１１は、これらの撮像画像データＤ１及び／又はコンピュータ画像データＤ２に基づく視差画像データ列Ｄ３に対して、画像処理用コンピュータ１４によってホログラフィックステレオグラム用の所定の画像処理を施してホログラム画像データＤ４を生成する。ホログラム画像データＤ４は、例えばメモリやハードディスク装置等の記憶装置１５に一時的に格納される。画像データ処理部１１は、後述するように、ホログラム用記録媒体３に対して要素ホログラム画像を露光記録する際に、記憶装置１５に格納されたホログラム画像データＤ４から１画像分毎の要素ホログラム画像データＤ５を順次読み出し、これらの要素ホログラム画像データＤ５を、制御用コンピュータ１２に供給する。
【００５０】
制御用コンピュータ１２は、ホログラフィックステレオグラム作製部１３を制御して、画像データ処理部１１から供給された要素ホログラム画像データＤ５に基づく要素表示画像を、ホログラフィックステレオグラム作製部１３の一部に設けられたホログラム用記録媒体３に短冊状の要素ホログラムとして順次露光記録させる。この際、制御用コンピュータ１２は、後述するように、ホログラフィックステレオグラム作製部１３の各機構の動作を制御する。
【００５１】
ホログラフィックステレオグラム作製部１３は、光学系を構成する各部材が図示しない支持基板（光学定盤）に配設支持されるとともに、この支持基板が図示しないダンパ等を介して装置筐体に支持された構造とされている。ホログラフィックステレオグラム作製部１３は、ホログラフィックステレオグラム作製用の光学系として、入射光学系、物体光学系及び参照光学系を有する。なお、ホログラフィックステレオグラム作製装置１０は、感光材であるホログラム用記録媒体３を用いることから、装置筐体は、少なくとも光学系の遮光性を保持した構造となっている。
【００５２】
ホログラフィックステレオグラム作製部１３は、図４Ａに示すように、入射光学系として、所定の波長のレーザ光を出射するレーザ光源２１と、このレーザ光源２１からのレーザ光Ｌ１の光軸上に配されてレーザ光Ｌ１を後段へ入射させる又は遮断するシャッタ機構２２と、レーザ光Ｌ１を物体光Ｌ２と参照光Ｌ３とに分割するハーフミラー２３とを有する。
【００５３】
レーザ光源２１は、例えば単一波長で且つ干渉性のよいレーザ光Ｌ１を出射する半導体励起ＹＡＧレーザ装置、水冷アルゴンイオンレーザ装置又は水冷クリプトンレーザ装置等のレーザ装置から構成される。
【００５４】
シャッタ機構２２は、要素ホログラム画像データＤ５の出力タイミングに対応して制御用コンピュータ１２から出力された制御信号Ｃ１によって開閉動作され、レーザ光Ｌ１を後段の光学系へと入射させる。または、レーザ光Ｌ１の後段の光学系への入射を遮断する。
【００５５】
ハーフミラー２３は、入射されたレーザ光Ｌ１を透過光と反射光とに分割する。レーザ光Ｌ１は、透過光が上述した物体光Ｌ２として用いられる一方、反射光が参照光Ｌ３として用いられる。これらの物体光Ｌ２と参照光Ｌ３とは、それぞれ、後段に設けられた物体光学系又は参照光学系に入射される。
【００５６】
なお、入射光学系には、図示しないが、レーザ光Ｌ１の進行方向を適宜変化させ、物体光Ｌ２と参照光Ｌ３との光路長を同一にすること等を目的としてミラー等を設けてもよい。また、シャッタ機構２２は、例えば、シャッタ片を機械的に駆動するように構成したものや、音響光学変調器（Acousto-Optic Modulation；ＡＯＭ）を用いた電子シャッタによって構成したものであってもよい。すなわち、シャッタ機構２２は、レーザ光Ｌ１を遮蔽及び透過可能とする開閉自在なものであればよい。
【００５７】
また、ホログラフィックステレオグラム作製部１３は、図４Ａ及び図４Ｂに示すように、物体光学系として、ミラー２４、スペーシャルフィルタ２５、コリメータレンズ２６、投影レンズ２７、シリンドリカルレンズ２８及びマスク２９等の光学部品を有し、これらの各光学部品を光軸に沿ってその入力側から順次配列させている。
【００５８】
ミラー２４は、ハーフミラー２３を透過した物体光Ｌ２を反射する。このミラー２４によって反射された物体光Ｌ２は、スペーシャルフィルタ２５へと入射される。
【００５９】
スペーシャルフィルタ２５は、例えば凸レンズとピンホールとを組み合わせて構成されており、ミラー２４によって反射された物体光Ｌ２を後述する透過型液晶表示器３０の表示面幅に対応して等方的に拡大させる。
【００６０】
コリメータレンズ２６は、スペーシャルフィルタ２５によって拡大された物体光Ｌ２を、平行光化して透過型液晶表示器３０へと導光する。
【００６１】
投影レンズ２７は、物体光Ｌ２を若干拡散させ、シリンドリカルレンズ２８へと投影する。この投影レンズ２７は、物体光Ｌ２を若干拡散させることにより、作製されるホログラフィックステレオグラムの画質の向上に寄与するものである。
【００６２】
シリンドリカルレンズ２８は、平行光化された物体光Ｌ２を横方向に対して集光する。
【００６３】
マスク２９は、短冊状の開口部を有しており、シリンドリカルレンズ２８によって集光された物体光Ｌ２のうち、開口部を通過したものを、ホログラム用記録媒体３へと入射させる。
【００６４】
また、物体光学系には、コリメータレンズ２６と投影レンズ２７との間に位置して透過型液晶表示器３０が配設されている。透過型液晶表示器３０には、制御用コンピュータ１２から供給された要素ホログラム画像データＤ５に基づいて、要素ホログラム画像が順次表示される。なお、制御用コンピュータ１２は、要素ホログラム画像データＤ５の出力タイミングに対応して、駆動信号Ｃ２を後述するホログラム用記録媒体３の記録媒体送り機構３４に供給し、その動作制御を行うことにより、ホログラム用記録媒体３の送り動作を制御する。
【００６５】
このような物体光学系においては、入射光学系から分割されて入射される細いビーム状である物体光Ｌ２が、スペーシャルフィルタ２５によって拡大されるとともに、コリメータレンズ２６に入射することで平行光とされる。さらに、物体光学系においては、コリメータレンズ２６を介して透過型液晶表示器３０に入射された物体光Ｌ２が、この透過型液晶表示器３０に表示された要素ホログラム画像に応じて画像変調されるとともに、投影レンズ２７を介してシリンドリカルレンズ２８へと入射される。そして、物体光学系は、シャッタ機構２２が開放動作されている間、画像変調された物体光Ｌ２をマスク２９の開口部を介してホログラム用記録媒体３に入射させ、要素ホログラム画像に対応してこれを露光記録する。
【００６６】
さらに、ホログラフィックステレオグラム作製部１３は、参照光学系として、スペーシャルフィルタ３１、コリメータレンズ３２及びミラー３３を有し、これらの各光学部品を光軸に沿ってその入力側から順次配列させている。
【００６７】
スペーシャルフィルタ３１は、上述した物体光学系におけるスペーシャルフィルタ２５とは異なり、例えばシリンドリカルレンズとスリットとが組み合わされて構成され、ハーフミラー２３によって反射分割された参照光Ｌ３を所定幅、具体的には、透過型液晶表示器３０の表示面幅に対応して１次元方向に拡大させる。
【００６８】
コリメータレンズ３２は、スペーシャルフィルタ３１によって拡大された参照光Ｌ３を平行光化する。
【００６９】
ミラー３３は、参照光Ｌ３を反射させてホログラム用記録媒体３の後方へと導光して入射させる。
【００７０】
このような光学系を備えるホログラフィックステレオグラム作製部１３は、ハーフミラー２３によって分割された物体光Ｌ２が通過する光学系である物体光学系と、参照光Ｌ３が通過する光学系である参照光学系との光路長がほぼ同一に構成されている。したがって、ホログラフィックステレオグラム作製部１３は、物体光Ｌ２と参照光Ｌ３との干渉性の向上が図られて、より鮮明な再生像が得られるホログラフィックステレオグラムを作製することができる。
【００７１】
さらに、ホログラフィックステレオグラム作製装置１０は、ホログラム用記録媒体３を図４Ｂ中の矢印で示す方向へと１要素ホログラム分だけ間欠送りする記録媒体送り機構３４を備える。
【００７２】
記録媒体送り機構３４は、制御用コンピュータ１２から供給される駆動信号Ｃ２に基づいて、ホログラム用記録媒体３を間欠的に走行駆動する。また、ホログラフィックステレオグラム作製装置１０は、この記録媒体送り機構３４の動作に連動して制御用コンピュータ１２から供給される制御信号Ｃ１に基づいて、上述したシャッタ機構２２が動作されてレーザ光Ｌ１の光路を開放する。
【００７３】
このようなホログラフィックステレオグラム作製装置１０は、１要素画像分の露光記録終了毎に制御用コンピュータ１２から１要素ホログラムに対応した駆動信号Ｃ２が記録媒体送り機構３４に対して供給されることにより、ホログラム用記録媒体３を１要素ホログラムに対応した量だけ走行路に沿って走行駆動させ、マスク２９の開口部に未露光部位を対応させて停止させる。なお、ホログラフィックステレオグラム作製装置１０は、ホログラム用記録媒体３の走行動作に伴って当該ホログラム用記録媒体３に生じた振動が速やかに停止されるように構成される。ここで、ホログラム用記録媒体３は、長尺状の感光フィルムからなり、図示しないが、例えば全体が遮光状態に保持されたフィルムカートリッジの内部に回転自在に設けられた供給ロールに巻回されている。ホログラム用記録媒体３は、このフィルムカートリッジがホログラフィックステレオグラム作製装置１０に装填されると、ホログラフィックステレオグラム作製装置１０の内部に繰り出され、記録媒体送り機構３４によって走行路を走行駆動させられる。
【００７４】
ホログラフィックステレオグラム作製装置１０は、この状態でシャッタ機構２２が開放動作されてホログラム用記録媒体３に対してその表裏面から画像変調された物体光Ｌ２と参照光Ｌ３とをホログラム用記録媒体３に入射させ、要素ホログラム画像に対応した干渉縞を露光記録する。ホログラフィックステレオグラム作製装置１０は、１要素画像の露光記録が終了すると制御用コンピュータ１２から記録媒体送り機構３４に対して駆動信号Ｃ２が供給され、ホログラム用記録媒体３を速やかに所定量だけ走行駆動させ停止させる。
【００７５】
さらに、ホログラフィックステレオグラム作製装置１０は、図示しない定着処理部により、ホログラム用記録媒体３に対する紫外線の照射処理と、ホログラム用記録媒体３に対する所定温度での加熱処理とからなる定着処理を行い、ホログラム用記録媒体３に対して露光記録されたホログラフィックステレオグラム画像を定着させる。ホログラフィックステレオグラム作製装置１０は、定着処理が施されたホログラム用記録媒体３を、ホログラフィックステレオグラム画像毎に所定の大きさに順次切り抜き、１枚のホログラフィックステレオグラムとして外部に排出する。
【００７６】
ホログラフィックステレオグラム作製装置１０は、以下順次この動作を行うことにより、長尺状のホログラム用記録媒体３に対して、複数のホログラフィックステレオグラム画像を順次露光記録し、１枚のホログラフィックステレオグラム画像が露光記録されたホログラフィックステレオグラムを作製する。
【００７７】
次に、以下では、この発明を適用して構成され、上述のようにして作成されたホログラフィックステレオグラムや、各種のホログラムが取り付けられる照明装置の具体例について説明する。各種のホログラムとは、上述のような横方向視差のリップマン型（体積型）ワンステップホログラフィックステレオグラムに限らず、上下視差も付加したフルパララックスステレオグラム、模型等にレーザー照射撮影した実写ホログラム、それらを原版にして複製されたホログラム、表面レリーフ型の所謂エンボスホログラム、回折格子なども含む。なお、以下、特に明記しない限り、ホログラフィックステレオグラムもホログラムの一種として、ホログラムに含まれるものとする。
【００７８】
第一の実施の形態として、図５に示すようなペンライト５００について説明する。ペンライト５００は、光源５４ａ, ５４ｂ, ５４ｃや電池５５を内蔵する光源支持体５５、その光源支持体５０と固定されたブラケット部６０、そのブラケット部からヒンジ５３を介して、可動する薄板状に樹脂材料などによって形成された導光拡散体５１を有する。
【００７９】
導光拡散体５１には、部分的に表面面粗度が大きくなっている部分５２があり、導光拡散体５１の端面６１から入射した光は、面粗度が小さい部分は光らず、面粗度が大きい部分だけ面の法線方向に拡散して出てくる。本実施例では、サンドブラスト、エッチング、レーザーマーキングなどの手法で面粗度が大きくなっているが、これに限らず、様々な手法が使える。また、部分的に乳白色の材料が煉りこんであっても良い。着色拡散材料、蛍光塗料、ブラックライトの反応する材料、セロファンなどが部分的、あるいは全体的に形成されていてもよい。表面レリーフ型、またはリップマン型の回折格子、ホログラムなどであってもよい。形状は、星形などの模様に限らず、文字、英数字などを形成してあっても良い。
【００８０】
また、この導光拡散体の一部には反射型ホログラムが、直接、または図９に示すような、ホログラムのフレーム枠６２を介してクリップ５９で挟持固定されている。クリップによる固定ではなく、直接粘着材、接着剤などにより、導光拡散体５１に固着されていてもよい。
【００８１】
導光拡散体５１全体は、ヒンジ５３の部分で連接され、回転できる構造となっている。図５（ａ）の状態にあるとき、光源支持体５０の内部に配設された発光ダイオード（ＬＥＤ：Light Emitting Diode）などの光源５４ａ, ５４ｂ, ５４ｃからの光が、導光拡散体５１の端面６１から入射しやすい。また、図５（ｂ）の状態にあるとき、導光拡散体５１の端面から光は入らないが、ホログラム５８を所定の角度から照射できる位置となっている。この所定の角度とは、ホログラム５８によって決まる適正照明角度に合わせたもので、この例の場合は、上記光源５４ｂとホログラム５８の中心とを結ぶ線と、上記ホログラム５８の面の法線とのなす角度が、４５°と設定されている。
【００８２】
導光拡散体５１とブラケット部６０との為す角度は、０度から４５度の間にて回転可能であるが、ストッパーａ５６、ストッパーｂ５７により、それ以外の角度にまでは広がらないようになっている。つまり、装飾中心に照明を行う第一の形態とホログラム観察を行う第二の形態の間は連続的に可動し、それを超えた状態には至らないようになっている。
【００８３】
また、図示しない機構により、０度、４５度の状態では、ある程度の外力をかけない限り、固定できるようになっている。  即ち、装飾を中心に照明を行う第一の形態とホログラム観察を行う第二の形態のそれぞれの位置で、固定できる機構を有している。
【００８４】
光源は、赤色ＬＥＤ５４ａ、緑色ＬＥＤ５４ｂ、青色ＬＥＤ５４ｃが、光源支持体の中に内蔵されている。図５（ａ）の状態にあるとき、それぞれのＬＥＤが順次に点灯、あるいは点滅し、装飾性を高めることができる。
【００８５】
図５（ｂ）の状態にあるとき、赤色ＬＥＤ５４ａ、緑色ＬＥＤ５４ｂ、青色ＬＥＤ５４ｃの全てが点灯することにより、フルカラーのホログラムを最適に照明することができる。ホログラムの特性に合わせて、赤色ＬＥＤ５４ａ、緑色ＬＥＤ５４ｂ、青色ＬＥＤ５４ｃの輝度バランスを調整することができるようになっている。
【００８６】
光源支持体５０には、図示しないスイッチがあり、図５（ａ）の状態にあるときには、スイッチを押すことにより、ＬＥＤの点灯をスタートできる。押しボタン式スイッチにて、一定時間点灯後、自動的に消灯するようになっている。消灯し忘れると、使用していないにもかかわらず電池を消耗してしまうことを防ぐための機能である。または、スイッチを押してから、再度押すまでの間だけ点灯されるようになっていても良い。または、スイッチを押し続けている間だけ点灯されるようになっていても良い。
【００８７】
ストッパー５６ｂの位置、または光導入端面６１には、図示しないマイクロスイッチ、光スイッチなどがあり、導入拡散体５１の位置に応じて、光源５４ａ〜５４ｃの発光制御を変更するようにしてもよい。図５（ｂ）の状態にあるときは、図５（ａ）のペンライトモードよりも輝度を明るくしてホログラムを観察したいという要望がある。図５（ｂ）の状態に至る前に、ＬＥＤを高輝度に光らせてしまうと、無駄に電力消費をしてしまうことに加え、ペンライトとしての使用状態で人の目に直接眩しいほどの光を入れてしまう危険性もあるため、図５（ｂ）の状態以外では高輝度には光らないように制御することも可能である。このように、装飾中心に照明する第一の形態であるか、ホログラム観察を目的にする第二の形態であるかを判別できる判別装置を有し、該判別装置により、上記第一の形態または第二の形態に適した異なる光源制御をおこなうことができるようになっている。
【００８８】
あるいは、プッシュスイッチ、スライドスイッチなどは使用せずに、導光拡散体の位置を動かすことのみで光り方を制御できるようにしても良い。例えば、図５（ａ）の状態にセットされるとペンライト機能で光拡散体が光り、Ｒ、Ｇ、Ｂが順次切り替わり１分間点滅、点灯してから消灯する。図５（ｂ）の状態にセットされると、Ｒ，Ｇ、Ｂが同時に高輝度モードで光り、ホログラムを照明し、３０秒後に消灯する。これは一例であって、発光状態や輝度の制御は、様々なバリエーションが可能である。即ち、上述、状態判別装置により、ホログラム観察中心に照明する第二の形態に設定されてから所定の時間のみホログラム支持部を照明する光源を点灯させ、その後消灯させるようにしてもよい。
【００８９】
第一の実施例において、光源は、赤色ＬＥＤ５４ａ、緑色ＬＥＤ５４ｂ、青色ＬＥＤ５４ｃを内蔵させているため、ペンライト機能、ホログラム照明機能の両方に、同一の光源を使用でき、効率的である。これに加えて、白色ＬＥＤが配設されていても良い。この場合は、図５（ａ）の状態においては、赤、緑、青のＬＥＤを個別に順次光らせ、白色ＬＥＤは消灯のままにしておき、図５（ｂ）の状態においては、白色ＬＥＤのみを光らせる、あるいは、白色ＬＥＤを高輝度に光らせると共に、装飾的に赤、緑、青のＬＥＤを低輝度にて光らせるといったバリエーションも可能である。
【００９０】
第一の実施例に用いたホログラムの層構成について、その断面図を図８に示して説明する。フレーム付きホログラム媒体７０は、ホログラム記録層７２がＰＥＴなどの基材層７２、７３で挟まれており、その周囲を枠７４、７５で保護するように粘着材７２で接着されている。ホログラム記録層７２は透明であって、枠Ａ７４、枠Ｂ７５共にくり抜かれているため、ホログラム像越しに奥がシースルーとして見える。
【００９１】
ホログラムは、表裏、画像の上下、光を斜め上から入れるか、斜め下から入れるか、が重要である。特にリップマンホログラムは、記録層の内部の屈折率変調により干渉縞が形成されているため、照明光を照射するまでは、その向きがわかりにくい。図８の構造でホログラム層が透明である場合、表裏も含めてどのようにセットするか、間違えやすい。図１１において、斜め上から光を入れて、リップマンホログラム像が正常に見えるものだとして、Ｂ軸を中心に回転して１８０度反転させた場合、像はほとんど見えない。Ａ軸を中心に回転して１８０度反転させた場合、ホログラムは倒立像となって見えるが、奥行き・手前も逆になるいわゆるスードスコピック（Pseudoscopic）像にもなる。つまり、ホログラムの製作時に設定された推奨再生条件に合わせて観察する必要がある。従来からのホログラムは、９９％以上、斜め上からの照明で再生されるように作られている。その理由は、太陽光にしても室内照明灯にしても、人間が生活する上で目の位置よりも上に光源がある場合はほとんどであるからで、一般条件下でホログラムを観察しようとした場合、斜め上から照明するのが自然だからである。一方、発明者らは、光源との組み合わせたホログラムの提案をしており、本発明においても観察者に対して、
ホログラムの斜め下からホログラムを照射する実施例を多数示している。世の中に、上から照明すべきホログラムと、下から照明すべきホログラムとが混在すると、観察者は媒体がホログラムであると認識した上でも、どちらから照明すべきか、迷うことになる。
【００９２】
そこで、本発明では、ホログラムの表裏、画像の上下、入射再生光の向きを、照明光を照射せずにもわかるようにするため、ホログラム媒体、またはその枠に図１２、図１３のようなマークを印刷してある。まず、観察者は、図１２のマークが正立してみえるようにホログラム媒体を保持する。即ち、矢印が上を向き、ＵＰの文字が鏡像となっていないことを確認する。不透明な媒体に印刷されていれば、図１２のマークが見えている面が表であり、観察者側にきていることは間違いないが、透明媒体に印刷されていた場合は見間違えることもあるため、ＵＰのような左右対称でない文字またはシンボルマークを印刷してある。その上で、図１３のマークがあれば、図１３（ａ）矢印のマークがあれば、光源を観察者側上方から照射することにより、像が再生される。図１３（ｂ）矢印のマークがあれば、光源を観察者下方から照射することにより、像が再生される。
【００９３】
図１４には、最適照明入射光を表すマークのバリエーションを記載した。最適照明光の入射方向は、厳密には、角度まで含めて決まっており、（ａ）では、観察者がホログラム法線方向から観察するとして、ホログラムの法線に対して斜め上４５°の方向から光源を入射することを意味している。（ｂ）では、同様に、ホログラムの法線に対して斜め下、６０°の方向から光源を入射することを意味している。また、（ｃ）（ｄ）では、角度に加えて、ホログラム面の観察者側から光を入れる反射型を示すＲ（Ｒｅｆｌｅｃｔｉｏｎの頭文字）、あるいは、観察者と反対側から光を入れる透過型を示すＴ（Ｔｒａｎｓｍｉｓｓｉｏｎの頭文字）も加えた。他に、反射型、透過型の中間にあたり、媒体端面から入射させるエッジリット型Ｅなどを加えても良い。また、推奨光源の種類、波長、平行度などを記載してもよい。また、このようなマークはホログラムの観察面側に印画できない場合、（ｅ）のように、点線で矢印を示すことにより、裏面に記載していることを意味するようにしてもよい。
【００９４】
図１２のマークに関しては、ホログラム面、あるいはホログラムが貼付あるいは組み込まれる媒体面に、文字などの印刷が施されていれば必ずしも必要ではない。文字が印刷されていると上下、表裏は容易に判断できるためである。その上で、図１３、図１４のような推奨照明光マークが形成されているとわかりやすい。
【００９５】
本実施例においては、推奨照明光マークがなくても、間違えずに照明装置に装着できるようにするために、フレーム枠６２に形状加工を施してある。図９に示すようにホログラムのフレーム枠６２は、断面図、図８における枠Ａ７４、接着剤７６、枠Ｂ７５から形成されているが、これらすべての材料を貫通する穴６４を設けてある。
【００９６】
一方、本実施例の照明装置には、円柱状凸部６３が形成されており、その円柱状凸部の径は、ホログラム媒体の枠に設けられた貫通穴６４より小さくなっている。ホログラム媒体７０を装着する際、まず、貫通穴６４を装置の円柱状凸部に挿入してから、クリップ５９にて固定させる。上下、左右、表裏、いずれかでも間違った向きに装着しようとすると、ホログラム媒体の貫通穴６４と照明装置の円柱状凸部６３とは合わず、収まらないため、誤挿入を防ぐことができる。凸部は円柱状ではなく半球状の丸い突起凸部であったり、大きな面取りが施された円柱であったりしてもよい。こうすると、ガイドに沿わせて滑らせて挿入し、押し込むだけで貫通穴６４と凸部６３とが嵌り、位置決めされると同時に力をかけて外そうとしない限り自然排出されないストッパーの役割も兼ねることができる。
【００９７】
上記、円柱状凸部と、貫通穴にて、媒体の向きを規定できるようにした例を説明したが、上下、左右、表裏が一意的に決まるものであれば、これに限らない。例えば、四隅の角のうちの一つのみが他とは異なる形状をしているといった、枠全体の構造が非対称になっていて、その形状と合わせた加工が照明装置側に施されていても良い。
【００９８】
上述の例では、ホログラム基材を透明化して、背景がシースルーで見えるようにされているが、観察者に対してホログラム記録層７２の反対側に、黒色乃至は暗い色の基材または粘着材を配置し、背景が見えにくいようになっていても良い。その場合は、ホログラム像のコントラストが上がって見やすくなる、表裏を間違えにくい、といった利点がある。即ち枠Ｂ７５側は、ホログラム部分が貫通穴となっているのでなく、未加工の基材のままとし遮光性をもたせても良い。
【００９９】
フレーム枠６２を構成する枠Ａ７４と枠Ｂ７５の素材は、紙、プラスチック、金属、木など、いろいろなものを選択できる。枠Ａ７４と枠Ｂ７５は一辺が予めつながっていて、折り目が形成されており、ホログラムを位置決めした上で、上述折り目で折り曲げて、接着剤で再剥離できないように接着すると枠Ａ７４と枠Ｂ７５をずれないように貼り合せることが可能である。
【０１００】
接着剤は再剥離できるようなものであっても良い。また、接着剤は使わず、枠Ａ７４と枠Ｂ７５に加工された形状で、嵌合や、折曲によって、固定することもできる。
【０１０１】
フレーム枠６２には、単体でストラップや鍵やＬＥＤ光源などをつなげられるように、６５の位置に、貫通穴または、凹部が形成されている。キーホルダータイプのＬＥＤ光源を組み合わせで用いれば、簡易的に観察することも可能である。また、複数のホログラムのフレーム枠の穴６５どうしを鎖や紐、ゴムなどでつなげておくと、紛失しにくい。それが本発明である照明装置とつなげておけば、観察者の意思で異なるホログラムを交換して照明装置に装着し、観察することも可能である。このような目的を達成すべく、本発明の照明装置には、装着された際に、図９の穴６５の位置に組み合わされる部品が照明装置に当たらないように設計上の工夫が施されている。
【０１０２】
第一の実施例において、図５（ｂ）の状態のまま、図６のように机などの面に置くと、ブラケット部６０と、ストッパーａ５６とが接地することにより手で持たずにホログラムを鑑賞することができる。
【０１０３】
図６のような鑑賞形態を想定し、ホログラムの向きは、図１０−ａのような向きで、図５（ｂ）に装着されるようにした。普及しているホログラムのほとんどは天井照明や太陽光など、観察者に対して上方からの照明で観察しやすいように、図９のような向きで制作されている。このため、図１０−ａのホログラム媒体を、照明装置とは分離して観察したとしても、一般的なホログラム同様、斜め上４５°から光を照射すれば良いので、直感的にわかりやすいという利点がある。
【０１０４】
図５（ａ）、図５（ｂ）に図示した実施例をペンライトとしての使用を前提に手に持つときは、図５（ａ）に図示するように光源支持体５０より導光拡散体５１を上にして持つと、画像が上下逆さまの配置となるが、ペンライトとしての照明位置関係では、上方にある外光でもホログラム像はほとんど再生されないため、不要像が再生されず、むしろ、鑑賞時にのみインパクトのある像を再生でき好都合である。
【０１０５】
ホログラム媒体側に図１２〜図１５に示したようなシンボルマークを記載することを説明したが、同様のシンボルマークは、ホログラム再生装置側にもついていると好適である。これまで説明してきたように、ホログラム媒体の形状において、正規の向きにしか装着できないようになっていることは有用であるが、さらに、ホログラム再生装置側に、再生装置側の特長、即ち、斜め下から照射するための装置であるのか、斜め上から照射するための装置であるのか、それぞれ照明角度はどれくらいか、などの情報を目で見て判断することができれば、適切な再生装置を選定することもできて好都合である。本発明においては、それをシンボルマークにて記載したことにより、小さい面積にて表現できるようになり、どのような言語を話す人でも共通に直観的に理解してもらうことができる。
【０１０６】
なお、再生装置側に、ホログラムに対する照射角度を調整する機構がついている場合、図４５に示すように、照射角度の範囲を例えば、ホログラムの法線に対して上から３８°〜６２°、あるいは、下から４０°〜６０°、というように角度範囲を表示すると良い。
【０１０７】
第二の実施例として、図１０−ｂのように形成されたホログラム媒体を図５（ａ）に装着する場合について説明する。図５（ａ）の状態のまま図７−ａのように手に持つと、ペンライトとして使用できる。これを図５（ｂ）のような状態にし、図７−ｂのように傾けるとホログラム鑑賞状態となる。また、図７−ｂと同じような状態を、手に持たずに再現できるように、光源支持体を保持する置き台８１に挿入、固定した例を図１５に示す。
【０１０８】
この第二の実施例の場合、光源支持体を持つ角度を変えるだけでホログラムを観察できるため、操作をシンプルにすることができる。第一の実施例の場合、光源支持体部分が導光拡散体に比較して大きすぎると、図６のように置いた場合に、安定感が悪くなったり、観察時に光源支持体部分が邪魔になったりすることも考えられるが、第二の実施例では安定感も良く、観察の妨げにもならないように構成できるため、設計の自由度が向上する。
【０１０９】
第二の実施例の場合、使用されるホログラム媒体は、観察者に対して下斜めから照明光を照射する必要が生じ、一般的に流通しているホログラムとは異なるため、照明装置との組み合わせをしないと観察方法がわかりにくいという問題が起こりうる。これに対し、本発明では、前述のように、ホログラム媒体に図１２、１３、１４のようなマークを表示しているため、観察者は混乱することなく最適な照明条件を理解することが可能になる。
【０１１０】
第二の実施例において、図１５のように置き台８１に装着される場合、置き台側には、電源トランス、接点が設けられており、装着されるとともに、光源支持体に外部から電力供給がなされるようにしても良い。この場合、光源支持体に内蔵した電池を消耗せずに、光源を光らせることもできる。また、光源支持体には繰り返し充電可能な蓄電池を内蔵しておき、置き台に装着されるとともに充電される機能を持たせても良い。図１５の例では、取っ手部が略円筒だと仮定し円筒の中心軸が水平に対して０度〜４５度の範囲で固定できるように置き台８１の凹部は作られている。これは、ホログラムが、上から見下ろすような角度に置くと見やすいことと、取っ手部に対してホログラムが装着される面が略４５度となることによる。
【０１１１】
第三の実施例として、図１６を用いて説明する。第一の実施例と同様に、導光拡散体の一部にホログラムが装着される構造となっているが、この導光拡散体の導光される光源は、導光拡散体と一体化された構造となっている。その上で、ホログラムを照明するための光源は、別のホログラム照明用光源支持体１５１に保持されており、可動部を介して導光拡散板と連接している。
【０１１２】
ホログラム観察時以外は、図１６（ａ）に示すように、ホログラム照明用光源支持体１５１はその光源と共に、電池格納を兼ねた取っ手部に格納されており、この状態ではホログラム照明用光源には電力供給されないようになっている。
【０１１３】
ホログラム観察時には、図１６（ｂ）に示すように、ホログラム照明用光源支持体１５１を所定の位置まで動かすと、ホログラム照明用光源に電力供給がなされる。
【０１１４】
第四の実施例として、図１７を用いて説明する。第二の実施例と同様の構成であるが、光源支持体９５０は、手で持つ部分を兼ねる電池収納部と一体化しており、その光源支持体にはＬ１、Ｌ２、Ｌ３、Ｌ４、Ｌ５、Ｌ６、Ｌ７の計７個の白色ＬＥＤが、各々略一定の距離を隔てて、かつ、ホログラム部分を照射する向きに収納されている。ホログラムは観察者の目の位置とホログラムの位置の関係が固定されている状況で、照明光が動くと、それに応じてホログラム像が変化する。このため、図１８−ａ乃至、図１８−ｃのように、Ｌ１乃至Ｌ７の光源を順次に光らせることにより、観察者が動かなくても立体像が動くという視覚効果が得られる。図１８−ｂのように、光源の輝度をグラデーション制御すると、図１８−ａのように制御した場合よりも、滑らかな動きが再現される。隣り合うＬＥＤから再現される画像の輝度が滑らかに変化するため、装飾効果も大きい。図１８−ｃのように光源の輝度を制御すると、立体像や動画像の順送りと逆送りとを連続的にループ再生させることもできる。
【０１１５】
Ｌ１乃至Ｌ７は、白色ＬＥＤとして説明したが、各々が赤色、緑色、青色等、複数の発光素子から構成されており、それぞれを個別に発光制御してもよい。あるいは、ＬＥＤ自体は白色であって、導光拡散体９５１のそれぞれのＬＥＤが入射する位置に個別の色のフィルタがあっても良い。そうすることにより、ホログラム観察に好適な白色再生、ペンライトの装飾に好適な多色発色が実現できる。また、光源の個数は７個に限るものではない。
【０１１６】
Ｌ１乃至Ｌ７のように、複数個で照明するようにしたことにより、ホログラム照明時には上述のように、効果が期待できる他、導光拡散体に入射させた場合は、例えば図１７の例における「ＬＩＶＥ！」という文字を一文字ずつ強調発光させるなど、装飾効果やメッセージ効果を加えることもできる。ホログラムを効果的に鑑賞するモードのときは、ホログラム面には主に一つの光源、あるいは隣り合う近傍の光源のみが発光していることが重要である。離れた位置や角度からの複数の光源から同時に照射されると多重像が見えてしまうからである。意図的に異なる方向からの複数の光源を照射して、多重像を観察させるモードを作って装飾効果を上げても良いが、一つの光源のみが照射されるホログラム鑑賞モードも作ってあり、観察者が選択できるようになっている。
【０１１７】
第四の実施例では、ブラケット部９６０をヒンジ部で一緒に回転可能の構造となっており、図１７（ｃ）のような形態にした上で、机の上などに置くと、観察しやすい角度に固定できるようになっている。図示しない凸部、凹部が可動部に形成されていて、外力を加えない限り、図１７（ｂ）、または、図１７（ｃ）のような形態に固定できるようになっている。
【０１１８】
第五の実施例として、図１９を用いて説明する。第四の実施例と同様の構造体であるが、光源はＬ４の部分にある一つのＬＥＤのみが、スライドレール９８１上のスライドユニット９８２に配設されており、Ｌ１の位置からＬ７の位置まで連続的に、ホログラム照射部方向を向いたまま、動く構造となっている。スライド構造では摩擦が極めて低くなっており、ＬＥＤ部を配設したユニットには図示しない重りもついているため、ペンライト９８０全体を傾けると、一番下の位置にＬＥＤは移動し、相対的にホログラムを照射する角度が変わる。コンサート会場等でペンライトを振ること想定されるが、手で持って左右に傾けながら使用することが多く、それに応じて、ペンライト使用時には異なる部分が照射される装飾効果、ホログラム観察時には異なるホログラム像が見える映像効果、など、期待できる。
【０１１９】
変形例として、重力には頼らず、ばね力などの弾性力やモータ等のアクチュエータにより、駆動するようにしても良い。
【０１２０】
第六の実施例として、図２０を用いて説明する。ペンライト６００は、電池６５５やスイッチ６６５、図示しない電気回路などを格納する取手部６１９の上部に約１ｍｍの厚さの透明プラスチック部材でできた透明中空体６１０が固定されている。透明中空体６１０の観察者から見て遠い側の面は開口部６１５があり、その外側にホログラム保持部６１４が構成されている。ホログラム保持部６１０は、ホログラムを左右、下から支えて位置を確定するためのホログラムガイド６１７と、遮光体６１６とで構成され、中空体６１０との間に囲まれた空隙にホログラムを滑り込ませることができるようになっている。中空体側、または遮光体側のいずれか、または両方には、一部凸部が形成されており、ホログラム側の相当する部分には穴が形成されている。ホログラムが装着された際には、この装置側の凸部とホログラム側の凹部が合わさるため、力をかけないと自然にホログラムが外れてしまうことを防ぐ。また、この凸部と穴は、左右上下非対象の位置に形成されているため、表裏上下を間違えることなく装着できる利点も持っている。このようにすることで、第１の実施例のように枠を使わないでも、図１のような構成のままの媒体も使用することができる。
【０１２１】
透明中空体６１０の内部には、Ｌ１，Ｌ２〜Ｌ７のように複数のＬＥＤが配置されている。このうち、Ｌ２、Ｌ４、Ｌ６のＬＥＤの出射直後には、ミラー８１３が配置され、ミラーによっていずれもホログラムの中央部分を向くように固定されている。ミラーを用いることでコンパクトに中空体の中に配置させることができている。
【０１２２】
Ｌ１，Ｌ３、Ｌ５、Ｌ７の出射直後にはミラーはなく、中空体を内部から照射しているが、中空体のＬＥＤが照射される部分近辺には内側に鋸状に斜めに光が入射しやすいプリズム形状が形成されており、中空体を形成するプラスチック部材内部に構成面に平行に近い角度で導光される。臨界角を超えた角度となるため、透明中空体が理想的な鏡面平板であれば端面から導光した場合と同じように、プラスチック材料内を全反射伝搬し、面から外に光は出てこない。装飾拡散部６１１には中空体表面に微小な凹凸加工が施されておりその部分だけ光って見えることになる。
【０１２３】
透明中空体６１０の内部にホログラムや光源、各部材が収まることで、埃やゴミなどが入りづらくなり堅牢性が上がるが、観察者は中空体６１１を通してホログラムを見ることになるため、微小な凹凸加工がホログラムの観察の妨げになるのは好ましくはない。そのため、ホログラムの領域中央から観察者側垂線に対して少なくとも上下２０度、左右４５度の方向領域内には、光を拡散させる部材は存在させないようにした。ホログラムの観察可能領域は、ホログラムの仕様によるが、左右方向に視野角を持つ鑑賞用のホログラムは一般的に上下２０度、左右４５度以上で作られることが多いため、この領域とした。プラスチック成型の際のゲートもこの位置を避けるように配置して製作した。透明中空体８１０の材質は、ホログラムの明るさ、画質を劣化させないようにするため、全光線透過率８０％以上、ヘイズ値１０％以下の物質でできており、一部に拡散性のある部材があったとしても、ホログラムの観察に著しい悪影響を与えないようにするため、拡散部分や遮光部分は面積比で１０％を超えないようにした。
【０１２４】
ヘイズ値とは、濁度(曇度)を示すもので、拡散透過光の全光線透過光に対する割合から求める。JIS-K-7105、JIS-K-7136で規定されている。
ヘイズ(%)=Td/Tt  ｘ  100  （Td：拡散透過率  Tt：全光線透過率）
【０１２５】
さらに、中空体８１０の材料表面にて、不要な反射があると、ホログラムの再生に寄与する光量が減って像が暗くなったり、不要光によって不要ホログラム像が再生されたり、不要反射光が直接観察者の眼に届き、妨げになったりすることがある。これを回避するため、本実施例では、中空体８１０の表面を無反射コーティング、モスアイ加工などを施した。
【０１２６】
Ｌ１、Ｌ３、Ｌ５、Ｌ７を同時または順次に点滅させると、ペンライトとしての装飾効果が出せる一方、Ｌ４をひとつだけ点灯させれば、ホログラムを観察できるモードとなる。Ｌ２、Ｌ４、Ｌ６を順次に点灯させていけば、照明装置を動かしたり観察者が動いたりせずとも、ホログラム像が動くのを鑑賞できる。
【０１２７】
変形例としては、Ｌ１〜Ｌ７のＬＥＤからの出射直後には、６１３の位置に全てハーフミラーが配置されていて、それぞれのＬＥＤの光の一部がホログラム照明に使われ、残りが、中空体の光拡散体に導光されても良い。ハーフミラーの透過光と反射光の比は、それぞれのＬＥＤで異なっていても良い。
【０１２８】
ホログラムの裏側、即ち、観察者の反対側は重要である。図２０の６１６の位置に黒い遮光部材を置けば、コントラストの高いホログラム像を観察することが可能ではあるが、前述したようなシースルー効果は出せない。一方、手持ちのペンライトで下斜めから拡散しない光が当たると、多くの人がいる前でペンライトを点灯したり、ホログラム観察時、観察者以外の人が対面にいたりした場合、眩しすぎて迷惑となったり、最悪の場合、目に障害を与えたりすることにもなりかねない。そこで本発明においては、異方性遮光体や異方性拡散体を用いた例を示す。
【０１２９】
携帯電話やモニターの覗き見防止目的で商品化されているルーバーフィルムを、図２０の６１６の位置の遮光体に配置すると、正面からは背面がシースルーで見える状況を作り出しつつ、かつ、斜め下からのＬＥＤの照明光はブロックされて背面には透過しないようにできる。例としては、３Ｍ社製のＰＦシリーズを使用することができる。
【０１３０】
次に、図２０の６１６の位置に、異方性拡散体を配置した場合について説明する。スペックルを記録したスペックルグラム、屈折率の異なる部分が不規則な形状で分布した樹脂フィルムなどを用いると、ある方向からはすりガラス状に曇って見え、他の角度範囲から見ると、透明なフィルムのように見える。このような機能をもつものとして、「ルミスティー（住友化学株式会社の登録商標）」を挙げることができる。
【０１３１】
ルミスティーは、光重合可能なモノマおよびオリゴマの少なくともいずれかを含む樹脂組成物の少なくとも２種類から形成される。
【０１３２】
光重合可能なモノマまたはオリゴマとしては、例えば、２，４，６−トリブロムフェニルアクリレート、トリブロムフェノキシエチルアクリレート、２−ヒドロキシ−３−フェノキシプロピルアクリレート、テトラヒドロフルフリルアクリレート、エチルカルビトールアクリレート、ペンテニルオキシエチルアクリレート、フェニルカルビトールアクリレート、ポリオールポリアクリレート、イソシアヌル酸骨格のポリアクリレート、メラミンアクリレート、ヒダントイン骨格のポリアクリレート、ウレタンアクリレートなどが挙げられる。
【０１３３】
ルミスティーを構成する各樹脂組成物としては、互いに屈折率が異なる樹脂組成物が使用される。各樹脂組成物の組合せとしては、例えば、モノマから選ばれる２種、モノマの１種およびオリゴマの１種もしくはオリゴマから選ばれる２種またはこれらの組合せにさらに１種以上のモノマもしくはオリゴマを加えたものが挙げられる。拡散光における拡散角を確保する観点から、これらの組合せにおける各樹脂組成物のうちの少なくとも２種の間の屈折率差は、０．０１以上であることが好ましい。
【０１３４】
ルミスティーを構成する組成物として、光重合開始剤や可塑剤、安定剤、平均粒径が０．０５〜２０μｍの充填剤、紫外線吸収剤、光重合性のない化合物などがさらに含有されていてもよい。
【０１３５】
このような光学異方性拡散体をホログラムの背面に配置すると、ホログラム像を観察する際には後ろが透明になりシースルー効果がある一方で、ＬＥＤの光の進行方向から見ると拡散光となるため、眩しさを感じることはなく、ペンライトとしての効果的な装飾効果を楽しむことができる。
【０１３６】
第六の実施例では、照明装置側に異方性遮光体や異方性拡散体を配したが、各ホログラムに配してもよい。即ち、図２７に示すように、観察者側から順に、透明基材７２、ホログラム媒体７１、透明基材７３、ルーバーフィルム７７、透明基材７８が配されている。
ルーバーフィルム７７は、シリコン系ゴムで作られていると基材７３との間で空気を介さず接着しやすい。正面からの光に対しては透過し、斜めからの光は遮光するようなルーバーフィルムを用いた場合、背景はシースルーで見えるが、４５°からの照明光は遮光し、媒体が装着されたときに、ホログラムの観察者以外の人が後ろから見て眩しい思いをするようなことはなくすことができる。ルーバーの角度など、仕様はこれに限らず、例えば、正面からの光は遮光し、斜めからの光を通すものを配しても良い。その場合は、ホログラムの観察時のコントラストを向上させるとともに、ＬＥＤの光をそのまま透過させることにより、懐中電灯のように使うことも可能である。これら異方性遮光体、拡散体を、照明装置側でなく交換する媒体側に配すると、媒体ごとに違う効果を楽しむことが可能となる。
【０１３７】
ここまで説明してきたように、ホログラムに対して、観察者と反対側に異方性遮光体、異方性拡散体、あるいは単なる遮光体や拡散体などの機能体を配置する例として、機能体が照明装置側に配されていても、ホログラム媒体側に配されていてもどちらでも良い。さらには、ホログラム媒体と機能体と照明装置はそれぞれ分離しており、照明装置にホログラム媒体と機能体とを、重ねて挿入するようにしても良い。
【０１３８】
次に、第七の実施例を図２１のペンライト７００を用いて説明する。第六の実施例とは異なり、ホログラム貼付部７１４に貼られたホログラムを観察する範囲は、開口部７２０を設けた。こうすることにより、７１０の中空体筐体は面粗度が悪くてもホログラムの画質が劣化することはない。むしろ７１０の筐体全体を光拡散体にしても良い。また、筐体の上部にはスポンジ状の光拡散体７２１が配され、それを照明するＬＥＤ、ＬＸ１及びＬＸ２が、ホログラムを照明するＬ１〜Ｌ７の光源とは別に配されている。取っ手部７１９の下部は太くなっており、テーブルなどの上に置いて鑑賞することも可能である。
【０１３９】
次に、第八の実施例を図２２のペンライト８００を用いて説明する。透明中空球体Ｂ８１０の内部に、それより小さい透明中空球体Ａ８０９がヒンジ８０７を介して回転可能なように保持されており、その間には液体８０８が充填されている。この液体の中には、液体よりも比重が若干小さい材料でできた装飾拡散体片８１１が分散されており、静止した状態で放置しておくと、図中で上の方に集まる。ＬＥＤ８１３は、透明中空球体Ａ８０９の内部、ホログラム支持部８１４に貼付されたホログラム８１５に向けて照射され、ホログラム像を再生する。ペンライト８００全体を振ると、装飾拡散体８１１が液体中に分散され、ＬＥＤ８１３からの照明光を拡散し、装飾効果が上がる。透明中空球体の内部には錘８１２が偏心した位置に固定されており、図２３のように傾けて持ち、さらに取手部８１９を軸中心に回すように動かすと、図２２の上面図に図示した矢印方向に搖動する。取手部内部には図示しない電池、電磁石があり、錘８１２を永久磁石化させたもので構成すると、電磁石と錘の間にて引き合ったり反発したりするため、揺らさなくとも中空球体Ａが中空球体Ｂに対して往復回転運動をし、ホログラム像が動く効果を出すことができる。
【０１４０】
次に第九の実施例として、液体砂時計付きホログラム８２０としたものを図２４を用いて説明する。第八の実施例の取っ手部を置き台８２１に代え、透明中空球体Ｂ８１０の外側にフランジ８２２をつけ、置き台に施されたガイド８２４と嵌合されるようになっている。置き台８２１の内部に固定されたＬＥＤから透明中空球体Ｂ８１０、液体８０８、透明中空球体Ａ８０９の順に透過してホログラム８１５を下斜め４５度から照射し、ホログラム像が再生される。液体８０９の中にはこの液体より比重が若干低い装飾拡散体片８１１が分散されている。透明中空球体Ｂより内側の部分をフランジがガイドに嵌合されたまま１８０度、上下が逆さまになるまで回転させると、下部にあった装飾拡散体片８１１が徐々に上に上がっていく。その過程でＬＥＤからホログラムに照射される光は遮られたり拡散されたりするが、時が経つと、装飾拡散体片８１１は上部に集まり、観察が可能となる。
【０１４１】
フランジ部には８２３に図示したような切欠きがあり、これと１８０度反対側にも同様の切欠きがあるため、図示しない位置決め部材により、ホログラムが正対する位置で固定される。
【０１４２】
封入する液体はシリコンオイルを使用した。粘性の高いオイルを使うことで、装飾拡散体が移動する速度を遅くさせることができる。透明中空球体Ｂ１８０と透明中空球体Ａ８０９の間隙は、図２４ではほぼ均一としているが、流路を規制するように細隙を設けても良い。装飾拡散体片８１１は、微粒子、着色粒子、蓄光体、蛍光体などの固体に限らず、該液体とは混ざり合わない液体、さらには、気体であっても良い。装飾拡散体片８１１の比重は、液体よりも小さいものを選ぶことにより、静止状態では装飾拡散体片が上部に集まるようにしたが、逆に比重の大きいものを選び、下部に集まるようにしても良い。さらに、常温常圧ではほぼ同一の比重のもので、気圧や気温などの環境変化で、装飾拡散体が上に行くか下に行くか変わるようなものを選んでも良い。
【０１４３】
ホログラムが、多重記録されたリップマンホログラムであり、異なる参照光角度での多重露光されたものだったり、異なる参照光角のホログラムを２枚重ねあわせたものだったりすれば、１８０度反転させると異なるホログラム像を再生させることも可能である。
【０１４４】
第十の実施例を図２５の円柱状照明装置８５０を用いて説明する。透明な円柱状筐体８５１の内部にはホログラム８５２、光拡散体８５３、ホログラム照明用ＬＥＤ８５４、光拡散体照明用ＬＥＤ８５５、電池８５６、さらに図示しないスイッチ、電気回路などが収まっている。装飾モードでは、ＬＥＤ８５５が順次に光拡散体８５３を照明させた後、ホログラム照明モードでは、ＬＥＤ８５４からホログラムが照明され、これら２つのモードを切り替えて鑑賞することができる。モードの切り替えは、スイッチで観察者が切り替えられるようになっている他、自動で交互に切り替わり、例えば１０サイクル終わった後、電池消耗を防ぐ目的で自動的に消灯されるようになっていても良い。
【０１４５】
第十一の実施例を図２６のペンライト７５０を用いて説明する。光源は、指向特性として半値指向角が７０度以上のような広がりをもつＬＥＤ７７４を用いており、ホログラムを中心に照明しているが、周囲に配置した光拡散体７７０にも照射され、装飾効果があがっている。光拡散体７７０は表面粗さの大きい凹凸加工が表面になされており、一部は表面粗さの小さい部分で文字７７１が形成されている。また、光拡散体７７０は、例えば、３ｍｍの厚さがあり、くりぬかれた内壁は鏡面加工されているため、この内壁から入射した光は内部反射成分があり全体が光りやすい。光源７７４からの光は、光拡散体の表面から照射されるとともに、その内壁７７２から内部に入射する光もあり、それらからホログラムの再生と同時に光拡散体からの拡散効果も観察することができる。一つの光源だけで照明しているため、光量分布としてはホログラム照明に多くが使われ、それ以外の光を有効に使って、ホログラムの再生像の観察を妨げていない位置において、ホログラムの再生像を装飾する効果を生んでいる。
【０１４６】
筐体前面７７３は曲率を持った曲面で構成されている。この場合、外側、即ち、観察者と内側、ホログラム側との間に曲率差があると、レンズ効果のようにして拡大、または、縮小されたり、画像が歪んだりする。既知の歪が生じてしまう場合、ホログラフィックステレオグラムを記録する前に歪を補償するように予め記録用画像データを画像処理しておくことも可能である。
【０１４７】
第十二の実施例を図２８〜３１のホログラム照明装置３００を用いて説明する。ホログラム照明装置３００は、ペンライト部３５０と置台部３１０により構成されており、取り外し可能となっている。
【０１４８】
まず、ペンライト部３５０について図２９を用いて説明する。取手部３６０は円筒状に形成され、内部に電池３５５、スイッチ３６５、図示しないＬＥＤ点灯回路とともに、その円筒の中心軸近辺に中心軸に沿って発するように光源ＬＥＤ３７４などが配設されている。光源ＬＥＤ３７４から軸方向に発せられた光は、レンズ３７７により、平行光、または、所定の距離はなれた位置にて所定の面積に効率よく照明できるように平行度が調整された光となった後、プリズムシート３７５に入射される。プリズムシートは、例えば断面が０．０１ｍｍから１ｍｍ程度、好ましくは０．１ｍｍ程度の間隔で鋸刃状に形成された透明光学プラスチックであり、そのスロープ角度によって、所定の方向に曲げることができる。図２９の例では一旦このプリズムシートにより観察者側に光は曲げられた後、反射鏡３７６により、観察者から遠ざかる方向に曲げられ、ホログラム３１４に到達する。このホログラムへの照射角度は、ホログラム観察に最適な角度となっているため、ホログラム正面近傍から明るい画像が観察できる。
【０１４９】
レンズ３７７、プリズムシート３７５、反射鏡３７６、ホログラム支持部は、扁平球状の筐体３６０に取り付けられていて、図示しないネジ部で筐体３６０と取手部とは、取り付けられるようになっている。筐体３６０は、ホログラムを観察する部分３７３のみが、透明にできているが、その部分以外は内部に光拡散させる部材が塗布または隣接配置されているため、ホログラム照射に利用されなかった一部の光や図示しない別光源が照射されて装飾効果を出すことができる。
【０１５０】
光源ＬＥＤ３７４からの光は、レンズ３７７やプリズムシート３７５などの透過部材を通り、そのまま筐体の光学的開口部３７３から外に出ると、眩しすぎたり、装飾性が劣化したりするが、遮蔽板３７８が配置されていて、故意に光源部を覗き込もうとしても直接眩しいほどの明るい光は見えないようになっている。
【０１５１】
遮蔽板３７８は、文字などの装飾が施されていても良い。遮蔽板３７８は、光を完全に遮蔽するものでなくとも、拡散体でできていてもよいし、部分的に光学的開口を持っているものであっても良い。
【０１５２】
本発明において、取手部の円筒軸方向に発せられる光源を一旦偏向させることにした理由は、従来からある懐中電灯、ペンライトなどの大半が、取手部の円筒軸方向に光を発せられることにある。即ち、図２９における筐体３６０を図示しないネジ部から取り外せば懐中電灯として使うことができたり、図３０のような別の円筒状拡散体に取り換えて装着すれば従来型のペンライトとして使うことができたりする。図３０において、円筒拡散体とは、透明な円筒状プラスチック３８０の内部に円筒状に拡散シート３８１を配置したようなものである。
【０１５３】
言い換えれば、従来型の懐中電灯やペンライトに、本発明の筐体３６０とそれに内蔵された必要な光学部品、光拡散体、ホログラムを配設すれば、容易にホログラム観察装置を構成することが可能となる。
【０１５４】
光源ＬＥＤ３７４として１Ｗ以上の高輝度パワーＬＥＤを使用すると、拡散または遮蔽しないまま、人の目に入ると眩しい場合がある。上述のような交換を使用者に委ねると、交換中に意に反して明るい光を見てしまい目を傷めることなどがありうるため、図２９における筐体３６０や図３０における円筒状プラスチック３８０が装着されない状態では発光しないように、装着部にスイッチをつけ、インターロック機構が働くようにしている。
【０１５５】
この例では、円筒軸方向に出た光を曲げるのにプリズムシート、そこから再度ホログラム方向へ曲げるのに反射鏡を用いたが、いずれも、反射鏡、ブロック状のプリズム、レンズ、回折格子、ホログラム素子、電気光学変調素子、音響光学変調素子などを用いても良い。
【０１５６】
ペンライト３５０単体では、ホログラムと光源の位置、角度の相対関係は固定されているが、ペンライト３５０全体を専用の置台、兼、揺動装置３１０に置くと、静止している観察者からも動きを観察できる。置台、兼、揺動装置の例について図２８を用いて説明する。置台は、ペンライト３５０をその取手部の中心軸、または、ホログラム面を含む中心軸近辺を軸として摩擦が少なく回転できるように、ピボット部３９０、３９１が構成されている。ピボット部３９０と３９１とは、支持部３９２によってペンライト３５０の観察者に対して後ろ側で繋がっており、支持部３９２の弾性力によりペンライト３５０部が着脱可能となっている。ペンライト３５０側のピボットに接する部分は、小さな凹部が形成されており、位置が定まるとともに、接する面積を少なくすることで、揺動回転時の摩擦を少なくしてある。接地部３９７は照明装置全体の中で相対的に重く作られており、重心低く安定保持でき、しかもホログラムを接地部よりは５〜４５度程度上方から観察できるように調整可能となっている。ペンライト３５０の内部には、重り３９３、３９４が配置されており、回転軸を中心に剛体振り子として揺動する。さらに、重り３９３、３９４が磁性体でできており、対抗する置台の支持部３９２側に、コイルを含む電磁石３９５、３９６が配設されており、ペンライト３５０が剛体振り子として揺動する固有振動数に近い周波数にて電磁石の電流を向きも含めて制御することで、継続的に揺動させることができる。つまり、重り３９３と対抗する電磁石３９５が反発するか、重り３９４と対抗する電磁石３９６が引合するかのいずれか、または両方が起こるように電磁石に電流を流す時間帯と、その逆で重り３９３と対抗する電磁石３９５が引合するか、重り３９４と対抗する電磁石３９６が反発するかのいずれか、または両方が起こるように電磁石に電流を流す時間帯とが交互にくるように繰り返し制御すると、上述のような継続的な揺動が実現できる。
【０１５７】
電磁石を利用したムーブメントとして、フィギュアを回転して見せる台用途として、太陽電池または乾電池、またはＡＣ駆動により、一方向に定速で回り続け、手で押さえると逆方向にも定速で回転する機構がある。商品例としては、プラッツ、ＭＭ考房から発売されている「バッテリータイプ・ターンテーブル」などがある。この機構の例を図５３を用いて説明する。（ａ）は回転テーブル１３０１と電磁ムーブメント機構本体１３０２が離間しているときの図で、組み合わされると（ｂ）のような配置となる。通常は、一旦回り始めると同じ方向に回り続ける。外部から力を加えると逆方向にも回るようになっている。本発明において、この機構をある範囲での揺動機構に変換するため、ホログラムの視野角の範囲にてストッパーを設けた。即ち、図５３（ａ）に図示するように、１３０３ストッパー支持体に複数個の位置決め穴を開け、そのうちの任意の２か所にストッパーａ１３０５とストッパーｂ１３０６を嵌合させる。回転テーブル１３０１を、その裏側の突起物が上述２個のストッパーの間にくるように、回転軸１３０８を電磁ムーブメント機構に嵌合する。こうすることにより電気回路には何ら変更を加えることなく、定速回転機構を揺動機構に変更することができた。しかも、ストッパーを複数の位置から選べるようにしたため、観察者の位置に応じて、最も良い角度に揺動範囲を調整できるようになった。このストッパーと突起物の両方、またはいずれかは、剛体で構成しても良いが、敢えてゴムやスポンジなどの弾性体とした。こうすることにより、逆転させるための初速を与える力が発生し止まってしまうようなことがなくなったという利点があるほか、ストッパーに当たる衝撃音を低減することもでき、大変有効である。ストッパー位置は、ストッパー支持体１３０３の複数穴のうちの２つを使用者が選ぶという例を記載したが、電気制御、空気制御などにより、自動制御されるようになっていても良い。さらに、そのストッパー位置は、揺動時に移動させることにより、揺動可動範囲が毎回変わるようにしても良い。
【０１５８】
このムーブメントを利用した構成例として、図５４（ａ）を用いて説明する。ディスプレイ１３１０ではホログラム１３１１が貼付されたホログラム台紙１３１２は揺動する回転テーブル１３０１の上に載っている。ムーブメント機構本体１３０２に隣接するか、または隣接しなくとも、静止した部材に支持されたＬＥＤ支持体１３１４の先に取り付けられたＬＥＤ１３１３から回転テーブル１３０１上のホログラム１３１１が照明される。光源は固定、ホログラムが揺動することにより、静止している観察者からも動きのある像が観察できる。
【０１５９】
別の例として図５４（ｂ）を用いてディスプレイ１３２０について説明する。回転テーブル１３０１にはＬＥＤ支持体１３１４が固定され、その先に取り付けられたＬＥＤ１３１３が斜め上に方向に向いている。ムーブメント機構本体１３０２の一部に固定されたホログラム支持体１３１５がホログラム１３１１及びホログラム台紙１３１２を保持している。光源が揺動、ホログラムが固定されることにより、静止している観察者からも動きのある像が再生できる。
【０１６０】
ディスプレイ１３２０の変形例として、図５５を用いて、ディスプレイ１３３０について説明する。ホログラム１３１１が貼付されたガラス１３２１は卓上に置かれることを想定して若干上を向いて保持される。ホログラムのほぼ中心を通る直線を回転軸とするムーブメント機構をホログラムの観察者と反対側に配置する。回転テーブルの代わりにＬＥＤ支持体を揺動部材とし、ＬＥＤをホログラム前面、下方から、ホログラムに向かって照射する。揺動部分のバランスをとるため、ＬＥＤとは反対側にバランサー１３２４が配されている。バランサーは、電池や回路などの機能部品を兼ねていても良い。なお、ガラス１３２１の表面や背面の一部には光拡散機能が形成されており、ガラス端面または外側から、装飾用ＬＥＤ１３２５によりホログラムの再生には影響与えないように照射されている。
【０１６１】
ここまで説明したように、ディスプレイ１３１０は光源が固定されていてホログラムが揺動するタイプ、ディスプレイ１３２０、１３３０はホログラムが固定されていて光源が揺動するタイプである。ホログラムも光源も揺動機構に載せてもよい。このように観察者が静止していたとして、動きのある画像が見えるようにするためには、、様々なバリエーションが可能である。
【０１６２】
揺動機構は、電磁石を使うものとして説明したが、モータを歯車やベルトなどで伝動する機構を作り、モータを正逆反転させても良い。また、モータから偏心カムやリンク機構を介して伝達させることにより、モータが等速一方向回転していても繰り返し揺動させることもできる。モータや電磁石の駆動電源は、家庭用ＡＣコンセント電源からの供給、電池からの供給、太陽電池からの供給など、いろいろ方法を選択できる。
【０１６３】
電気駆動を使わなくともゼンマイやバネの弾性力を持ったものを駆動源に用いて揺動させてもよい。さらに、重力のみを利用し、やじろべえのように揺動させても良い。第十三の例について図３３を用いて説明する。ホログラム照明装置２００は、ホログラム２１４を含むペンライト部２１０とそれを置く揺動機構をもつペンライト保持部２２０により構成されている。ペンライト保持部２２０は、軸受２２３、２２４を介して支持部２２５とつながり、回転できるとともに、その回転軸中心より若干重心が重力に対して下方に配置されるよう重り２２１、２２２が配されている。この機構により、ペンライトを保持部に収めたときゆっくりとした速さで往復運動をする。
【０１６４】
上述のように、ペンライト部と置台とを分離できるような構造の例では、ペンライト部を置台にセットした段階で、スイッチが入り、所定の時間点灯したり、所定の時間揺動したりするようにしても良い。また、重力による揺動装置では、人間の手で初動を与えることにより揺動が開始され、静止するまでの間点灯していて、揺動が止まると自然消灯するようにしても良い。光電検出器を設置し、揺動動作により、光電検出器が遮断されたかどうかを見ることにより、この制御は行われる。また、ペンライト部には充電池が内蔵されており、置台にセットされると充電池が充電されるようにしても良い。
【０１６５】
第十四の実施例を図３２のホログラム照明装置２５０を用いて説明する。ホログラム２５１は、１０ｍｍ〜１００ｍｍ程度の厚さのガラス板２５２の表面に貼付されている。ガラス板２５２は、ケーシング２６２に装着され、ケーシングが机などに置かれた際にホログラムを正面から見やすいように０度から４５度の間でホログラムが上方向を向くようになっている。この角度は調整できるようになっていると好適である。同じケーシングに内蔵されたＬＥＤ２５５からホログラムに対し、さまざまな角度から照射される。複数のＬＥＤから照射する他、一つのＬＥＤを電磁力や重力、弾性力などを利用して揺動させてもよい。
【０１６６】
一方、ガラス板２５２の端部から赤、緑、青色のＬＥＤ２５６、２５７、２５８による光がガラス内部に入射される。ガラス板は、その外形がダイヤモンドカットと呼ばれるさまざまな角度で切削、研磨されていたり、内部には３Ｄレーザー彫刻されていたりするものを使うと、ＬＥＤ２５６、２５７、２５８による装飾効果が上がる。
【０１６７】
ホログラムはガラス板の観察者側に貼付されていてもよいし、観察者の反対側に貼付されていてもよく、さらには、複数のガラス板の間に挟まれるように配置されていてもよい。上述、複数の位置に、複数枚のホログラムが配置されていても良い。異なる位置に異なる光源が配置されており、それらを順次に点灯し、一番目のホログラムを照明する際に背景の光拡散体は青を基調に照明し、二番目のホログラムを照明する際には背景の光拡散体は赤を基調に照明する、というように時系列で異なる装飾、演出効果を与えることもできる。
【０１６８】
ガラス板の観察者と反対側、ホログラムが貼付される場合はさらにその奥に、すりガラス状のアクリル材２５４を配置した。このアクリル材には、表面がレーザ加工により装飾されており、光を当てるとその加工部分が強調されて光る。ケーシング２６２内蔵された、赤、緑、青色のＬＥＤ２５９、２６０、２６１により、アクリル材２５４に照射される。このように、ホログラムが貼付されている基材の内部または外部から光を照射し、ホログラムの装飾性を上げることが可能である。
【０１６９】
ガラス板２５２の一部には、時計２５３が埋め込まれている。図示したようなアナログ時計に限らず、デジタル表示時計、温度計、湿度計、カレンダー、フォトディスプレイ、液晶ディスプレイなど、またそれらのうちの幾つかが配置されていても良い。
【０１７０】
ガラス板２５２は、ガラスではなく、アクリル、ポリカーボネイト、ポリスチレンなどの樹脂材料、蛍光材料が含まれた上述材料などであってもよい。
【０１７１】
上記、第一乃至第十四の全ての実施例において説明してきたように、光拡散体に入射させる光源と、ホログラム照明用の光源とは同一であっても良いし、別であってもよい。別である場合でも、電池など電力供給部分を共通化させた上で、電力消費量を抑えるため、ホログラム照明時と非照明時とで、光源に供給する電力量のバランスを変えている。
【０１７２】
光拡散体を光らせる光が強すぎるとホログラム像が引き立たないため、ホログラム観察時のみには光拡散体を光らせる光を弱くするなどの連動を行っている。即ち、スイッチを入れると、まず、光拡散体が赤、緑、青のそれぞれのＬＥＤが順次に異なるタイミングで明るく光ることにより、いろいろな色や明るさで光った後で消灯、ホログラムを照明する白色ＬＥＤがまず一個点灯、その後、ホログラムを照明するＬＥＤが複数個、順次に点灯し、その後ゆっくりとホログラム照明のＬＥＤが暗くなるとともに、光拡散体を照明する赤、緑、青のＬＥＤが若干明るくなり、全ＬＥＤが消灯する、といったように、時間とともに変化するライティングの演出を施しても良い。
【０１７３】
上記の実施例において、ホログラムの最適照明角度に合わせた、装置の所定の角度として、４５°の場合を例に挙げた。即ち、上記ホログラム支持部を照射する状態において、上記光源と上記ホログラムまたはホログラフィックステレオグラムの中心とを結ぶ線と、上記ホログラムまたはホログラフィックステレオグラムの面の法線とのなす角度が、観察者に対して上方４５°、または、下方４５°に設定したが、これに限定するものではない。好ましくは、上記の角度は、上方４０度から７０度の間、または下方４０度から７０度の間の特定の角度を保つようにして支持するのがよい。４０度より小さい角度であると、観察時に光源が目に入りやすくなり好ましくない。７０度より大きい角度であるとコンパクトな照明装置となる一方、ホログラム表面での表面反射が大きくなり、ホログラム像を明るく鑑賞することが難しくなるからである。
【０１７４】
上記の実施例において、光源からの光が、遮光も吸収も拡散もされずに観察者の眼に到達すると眩しくて観察を妨げるため、光源近傍観察者側に、図示しない遮光体、吸収体、拡散体など、あるいはそれらが組み合わされたものが配されている。
【０１７５】
図３５を用いて、第十五の実施例について説明する。ペンライト４００は、手持ち部４１０とその手持ち部にねじ込み固定される透明円筒４２０から構成される。手持ち部４１０には、図示しない電池、円筒軸方向に出射するように配されたＬＥＤなどの光源、発光制御回路、スイッチなどが内蔵されている。円筒４２０と嵌めこまれる部分にはペットボトル飲料のキャップ部に類似するような雌ネジが形成されており、それに合うピッチの雄ネジが切られた円筒４２０とは回転しながら挿入することにより取り外しが可能、かつ、しっかり固定できるようになっている。
【０１７６】
円筒４２０の内部、手持ち部に近い部分には光拡散シート４３０などが挿入される一方、手持ち部から遠い先端部は、先端部から挿入され固定可能なキャップ４４０が配されている。キャップ４４０は、図３６に示すように、４４０−ａ、４４０−ｂで構成され、これら２部品の間にスロット４５０、４６０が設けられている。スロット４５０には円形状鏡４５５、スロット４６０にはホログラム４６５が挿入され、４４０−ａ、４４０−ｂを合わせることにより、固定される。ホログラム４６５は長方形をしており、四隅のうち、三か所はＲ１ｍｍ、一か所のみＣ２ｍｍの形状をしており、スロット４６０には相当する形状で作られているため、上下逆あるいは表裏逆に挿入しようとすると、キャップ側Ｃ２ｍｍの隅角にＲ１ｍｍのホログラム媒体は収まらないため、逆差し防止機能を果たしている。
【０１７７】
また、ホログラム媒体は単体で観察される可能性もあるため、図１４に示したような推奨観察条件がシンボルマークとして印刷されている。シンボルマークとしたことにより、世界各国の異なる言語を話す人でも、老若男女に関わらず、直感的にわかりやすい。
【０１７８】
鏡４５５、及び、ホログラム４６５を装着し、キャップ４４０−ａ、４４０−ｂを合わせた状態で、図３７に示すように、円筒４２０の先端部から挿入し、円筒４２０に加工されている穴４２１と、キャップ４４０に加工されているねじ穴用下穴部４４１とを合わせて、ネジにて固定すればペンライト全体を振り回しても各部品が外れるようなことはないようになっている。円筒４２０とキャップ４４０との固定方法は、ネジで固定せずとも、円筒４２０とキャップ４４０との接合部全周に形成されたネジを嵌め合わせることにより固定したり、同様の２部品に円周方向に回してロックされる構造を形成しておき固定したりしても良い。
【０１７９】
キャップ４４０は、４４０−ａ、４４０−ｂとを合わせたときに開口部が形成されるようになっており、手持ち部に内蔵された光源が点灯すると、円筒４２０内部でホログラム前面を通り先端部に形成された反射鏡４５５により所定の角度に反射された光がホログラム４６５を照明し、円筒４２０を通してホログラム４６５を観察できるようになっている。
【０１８０】
円筒４２０にはホログラム観察用開口部を設けても良く、その場合は円筒による画像歪は生じないが、開口部を通じて中に異物が入ってしまったりする不都合もあるため、光は通すアクリル、ポリエチレンテレフタレート、ポリカーボネイト、ガラスなどの無色透明材料で平面性を上げることにより、画像歪の少ない像再生をするようになっている。
【０１８１】
円筒４２０の内部と外部の面は曲率をもつため、レンズ効果が出るが、これら曲率が既知で、ホログラムが固定される位置も既知であれば、ホログラムとして記録される画像をあらかじめ画像処理等で補償しておくことも可能である。
【０１８２】
開口部にはキズなどがつかないようにハードコートを施しておくこともできる。
【０１８３】
図３８に図示するように、キャップ４４０のホログラムが固定される部分の、観察者とは反対側も開口にしておくこともできる。その場合、ホログラムの基材が透明であると、光源が点灯していないときには、素通しで円筒の向こう側が見え、光源が点灯されると透明部分から像が浮かび上がる効果を出すことも可能である。
【０１８４】
ホログラム手持ち部４１０に内蔵された光源が３Ｗ−ＬＥＤなど高輝度タイプとなると、拡散も吸収もされないまま、大きな光量が人の目に当たると眩しさを感じることになる。そこで、光源からの光が例えば５ｍｍ角以上の面積で拡散されないままペンライト部から外部に漏れることがないように、拡散部材、吸収部材を配している。例えば、第六の実施例で説明したように、ルーバーフィルムのような異方性吸収体、ルミスティのような異方性拡散体を、ホログラムの観察者に対しての反対側のみならず、観察者側の光学的開口部にも配置した。観察者側の光学的開口部は、ホログラムを観察する窓にもあたるため、観察領域ではホログラムの画質を劣化させることはすべきではない。このため、観察角度領域では、全光線透過率６０％以上、ヘイズ値２０以下、望ましくは全光線透過率８０％以上、ヘイズ値１０以下となる材料で構成した。
【０１８５】
また、これら光学的開口部は単純な透明樹脂またはガラス素材のままとして、遮蔽体または拡散体により無拡散光が開口部から出射するのを防止した例を図３８、図３９に示す。即ちペンライト４０１において、キャップ部４４０の光源側には、遮蔽部材４６９を設け、アパーチャー機能を持たせ、ホログラム照射に必要なギリギリの大きさに開口を制限し、遮蔽した。光源４７１の大きさ、指向角制御レンズ４７２、ホログラム４６５の照射領域を結ぶ光線追跡により幾何学的に求めた。
【０１８６】
また、反射鏡４５５からの反射照明光が背面の開口部から外に漏れる場合、手持ち部方向に戻る光であるため、一般的には観察者によりブロックされる場合が多いが、念のため、円筒外部にも遮蔽部材４７０を設けた。遮蔽部材は必ずしも不透明である必要はなく、全光線透過率５０％程度の部材や拡散性のある部材などであっても良い。円筒外部に遮光部材を設けた別の例を図４０、ペンライト４０２を用いて説明する。装飾目的のカラー４３２、４３３の外径を大きくしておくことで、物理的に開口部から手持ち部内部の光源を覗き込むことはできないようになっている。即ち、光源から発せられた光が、直接光、反射光として開口部から外に出たとしても、これらカラー４３２、４３３が遮光板となって、意図せず人の目に到達することはなくなる。円筒外部に設けられたカラー４３２、４３３や、遮蔽部材４７０は、単に遮蔽する目的だけではなく、ペンライトを机などにおいて鑑賞できるためのスタンドの蝶番部材、ストラップの取り付け部材などを兼ねていても良い。
【０１８７】
外部に光が漏れないようにするために、偏光板を用いた例４０３を図４１を用いて説明する。
ＬＥＤ等の光源４７１から発せられた光は指向角制御レンズ４７２に透過したあと、第一の偏光板４８０を通過することにより偏光成分の揃った光がホログラムまで照射され観察に寄与する。その後、ホログラム基材が透明であると、観察者に対して後ろ側の開口部から出射されるが、その手前に第二の偏光板４８１を配しておけば、その配置角度を適正に考慮することにより、外部への出射光を抑えることができる。光源にＬＥＤではなく、レーザーなど偏光面が揃ったものを使う場合は、第一の偏光板は不要とすることができる。
【０１８８】
キャップ部４４０の先端部にはストラップを取り付けたり、フックに引っ掛けられたりするような貫通穴が設けられていても良い。こうすることにより、簡易包装のまま、上下を反転させずに商品陳列しやすいという利点がある。
【０１８９】
ペンライトは、複数のホログラムや、複数のキャップ部を収納できるようになっていても良い。観察者は、複数のホログラム像を取り換えて鑑賞することが可能となる。
【０１９０】
ペンライトは、手持ち部が一つであっても先端に複数の円筒部分が配されていても良い。３つの円筒部分があり、それぞれにホログラム、その照明光源等を持つペンライトの例４０４を図４２に示した。開口部が他の円筒によって妨げられないように、外側を向いている。２つの円筒部分を並べる例では、同時に２つのホログラムを鑑賞できるように同じ方向を向いていても良い。それぞれに光源がついており、同一制御回路により順次、または同時に点灯、点滅などさせても良い。また、光源は一つのみ配し、観察者の意思で回転させた後、保持させるような構造にしてもよい。
【０１９１】
ペンライト４０１乃至４０４に説明した実施例は、観察者にとっては、光源がホログラムよりは下にある状態で観察するが、ホログラム単体としてみれば、鏡で反射した光で斜め上から照射されるので、ホログラム自体の推奨参照光角度が５７°である場合、図４６（ａ）のようなシンボルマークが印刷されており、ペンライト４０１〜４０４にも取っ手部の裏、またはキャップ部の一部に小さく、同様の図４６（ａ）のシンボルマークが形成されている。そのため、ホログラムとその再生用ペンライト本体とが分離した状態で存在し、ホログラムを入れ替える場合、例えば図４６（ｂ）のようなシンボルマークが印刷されたホログラムがあったとしてそれをペンライト４０１のように装着しても鑑賞はできないということを、使用者は予め知ることができる。このようなシンボルマークが無い状況では、装着してみないとわからない事態となり、混乱のもとであったため、シンボルマークを付した効果は大変大きい。
【０１９２】
ここまで、ペンライトの円筒先端部に配した反射鏡にて光源からの光を反射させ、円筒軸とは略平行になるように配置された面を持つホログラムを照射する例を中心に述べてきたが、ホログラム面と円筒軸とは必ずしも平行である必要はなく、やや下や上から見るような配置にしてもよい。円筒先端部のミラーをなくして、手持ち部側から見るようにしたペンライト４０５の例を図４３、図４４を用いて説明する。図４３において、透明円筒４２０の先端に挿入されるキャップ４４２には、図４４に示すように円筒軸をほぼ中心として、円柱を斜めに切断したような面が形成されており、その面にホログラムが貼付または密着固定されている。円筒軸とホログラム面とがＡ°の角度を以って固定されているとき、観察者から下方（９０−Ａ°）で照明されることを前提に作られたホログラムを最も好条件で再生することが可能である。例えばＡ＝３２とすると、ホログラム面の法線に対しては、５８度の開きをもった角度から照明するとホログラムの法線方向中心に像が再生される。円筒内部には、ほぼ全周にわたりホログラム再生に寄与しない光を拡散するように拡散シートが配されているが、ホログラムを観察できる視域の分だけ円形状にくり貫き、光学的開口部４３１を形成した。
【０１９３】
ペンライト４０５には、図４６（ｂ）のようなシンボルマークが形成されている。これは、ホログラムを単体で見たときに、下斜め５８°から照射したときに正しく見えるようなホログラムの再生専用装置であるからである。一見ペンライト４０３と４０５は、いずれも、光源は観察者の下側から照射する装置であるが、装着されるべきホログラムに求められる条件は全く異なるため、図４６のようなシンボルマークを、ホログラム媒体、再生装置、いずれにも記載しておくことは大変有用である。特に、基材が透明であるホログラムの場合は、本来照射する方向とは媒体とは表裏逆に入れても光ってしまうが、再生像は奥行と手前とが逆転したものになってしまうため、通常の印刷物よりかなり混乱を招きやすい。ホログラム媒体と再生装置とに共通するシンボルマークを記載したことにより、混乱をなくすことができた。
【０１９４】
ペンライト４０５のような角度でホログラムを配置すると、図で４９０の方向に回折像はできて観察されるが、同時に光源から拡散しないでホログラムまで到達した光が、ホログラム媒体表面で正反射方向４９１に表面反射を起こす。この表面反射が開口部から外に出ると眩しすぎる場合があるので、ホログラム媒体面に反射防止膜を形成したり、モスアイ構造としたりしてもよい。また開口部に光学異方性吸収体、または光学異方性拡散体を配することにより、観察方向４９０方向には透過率を高くし、正反射の４９１方向には遮蔽または拡散するようにできる。光学異方性吸収体とは、例えばルーバーフィルムで開口角度がオフセットしているようなものを使用すれば良い。
【０１９５】
ペンライト４００乃至４０５に例示したようなペンライトは、手持ち部分のみは、市販のペンライト、懐中電灯などをそのまま使うことができる。即ち、充電池を含む電池、ＬＥＤなどの光源、スイッチ、電気制御回路などを有する手持ち部に対して、照明光を照射する開口部と、ホログラムを観察するための光学的開口部と、ホログラムの照明に寄与しない光の一部を透過拡散させる拡散部材を有するものをホログラム媒体として提供すれば、それまでのペンライトや懐中電灯の機能に加え、ホログラムを簡便に観察できる機能を付加することができる。
【０１９６】
上述ホログラム媒体に、さらに反射鏡を加えると、市販のペンライトでは手持ち部の略円筒軸方向にしか出射できなかったように自由度の少ない照明光に対して、照明装置としての商品設計自由度を大幅に向上させることができる。ホログラムは予め製造時に決められた照明角度が存在し、その方向から照射しない限り観察できないからである。ホログラム媒体として、照明光入射部、観察開口部、反射鏡などを一体化したことにより、ホログラムの基礎知識を持たない人にとっても間違いなく良好な状態で観察できるようになった。
【０１９７】
第十六の実施の形態として、音声再生機構を組み込んだ例を、図４７箱型ホログラム再生装置１０００を用いて説明する。箱型形状をしており、蓋部分１００１を開くと蓋の裏に貼付されたホログラム１００２に、本体１００３に内蔵されたＬＥＤが斜め下、所定の角度から照射される。本体には、音声データ格納装置、音声データ増幅回路、スピーカー１００４、電池１００６、ＬＥＤ、電子回路基板１００７などが内蔵されている。本体の目立たない位置にマイクロスイッチ１００５が配されており、蓋がしまった状態ではスイッチが押されており、いわゆる電源は切れた状態となっている。蓋が開けられると、スイッチが開放位置まで動くことにより、電源が入る。蓋１００１は図示しないストッパーにて所定の角度γ、例えば１１５°にて固定される。ＬＥＤは複数個、例えば７個異なる位置に予め配されており、それらを順次点灯することにより、止まっている観察者に対して、ホログラム像が動いているように見せることが可能となる。ＬＥＤとホログラムの位置関係は、ホログラムのほぼ中央から法線に対して角度α、例えば５８°の方向に中央のＬＥＤ、Ｌ４が配置されて、このホログラム中心と中央のＬＥＤ、Ｌ４とを結ぶ線を含む面上の近傍で、異なる角度でホログラム中央を見込むように、Ｌ１〜Ｌ３、Ｌ５〜Ｌ７が配されている。
【０１９８】
蓋１００１には、適合するホログラムの再生条件を示すシンボルマーク１００８が記載されているため、ホログラム１００２を別の画像に交換して装着または貼合する場合でも、ホログラムが適合せずに観察できないというようなことは起こりえない。
【０１９９】
電源が入った後の制御は様々なバリエーションが可能であるが、例えば、一旦全てのＬＥＤが消灯した後、順にＬ１、Ｌ２、Ｌ３、Ｌ４、Ｌ５、Ｌ６、Ｌ７と点灯されることにより、ホログラムに対してほぼ中央法線方向から観察している人の目には、図４８のＬ１〜Ｌ７の順に記録済画像のホログラム画像のフレームが再生されることになる。ホログラフィックステレオグラムの画像ソースとして、一つのビデオカメラで被写体との相対移動で撮影された視差画像列を用いるとして、撮影時の数秒間で、例えば人物が「こんにちは」というメッセージを発し手を振る場面を記録した視差画像列であったとする。この視差画像列から作成されたホログラフィックステレオグラムを固定光源で照明した場合、観察者が左右に動くことにより「こんにちは」と口を動かし手を振る画像が再生されるが、その再生速度は観察者の動き方で決まり、同期させることは難しい。本発明において、複数のＬＥＤなどの光源が順次点灯される場合、または、一つの光源がホログラムに対して滑らかに相対移動する場合は、その点灯制御のスピードを、撮影時の音声再生スピードとを同期させることにより、あたかも人が音声を発しているかのように、音声に合わせて動画像を再生することができる。
【０２００】
連続画像を同期させる例を説明したが、離散的な画像が入力されていると、さらに効果的なディスプレイを構成できる。その例を図４８、４９を用いて説明する。ホログラフィックステレオグラムのほぼ中心の法線方向から観察している前提で、Ｌ１から照明されたときにだけ、ある歌詞と同期した言葉の文字表現を含む画像がホログラムとして再生され、Ｌ２乃至Ｌ７の光源が点灯したときには、連続的な立体像が再生されるものとする。照明装置に内蔵された音声再生装置から音楽を再生する際、Ｌ２乃至Ｌ７が順次往復点灯しており、歌のサビに達した時、Ｌ１のみ光らせると、効果的な演出効果を出すことができる。
【０２０１】
別の例としては、ホログラフィックメトロノームを構成することができる。即ち、指揮者の動きのある視差画像をホログラフィックステレオグラムにしておき、クリック音と同期させてＬＥＤの照明を順次点灯させれば、指揮者の動きとタイミングがあった拍のクリック音が聞こえることになる。単純化のため、４拍子のメトロノームを１６の視差画像の指揮棒の動きをホログラフィックステレオグラムにて制作したものがあるとする。ＬＥＤを左右１６個並べて、それぞれＬ１〜Ｌ１６とする。Ｌ１〜Ｌ１６を等時間間隔で順次点灯する際、Ｌ１、５、９、１３が光るタイミングでクリック音が鳴るように制御する。
【０２０２】
ＬＥＤを多数配置するのではなく、一つのＬＥＤをホログラムに対して相対的に動かす場合にも同様に、動きと同期して発光制御すれば、同様の効果は得られる。むしろ、１００枚以上の視差画像を入れた場合は、画像の動きは滑らかさが増し、視覚効果は上がる。
【０２０３】
光源の発光と音声のタイミングを同期制御する場合、観察者の視点が変わると厳密には調整が必要である。例えば、ホログラムの法線方向から観察されることを想定して音声のタイミングを制御していて、観察者が左、または右に、ずれていた場合は、画像よりも早めに音が鳴ったり、その逆だったりすることになる。この調整をするために、観察者の目の位置情報を位置検出装置により検出し、音声再生タイミングを早まらせたり遅らせたりするようにした。観察者の目の位置情報の検出は、装置側に撮像装置を搭載し、撮像された画像を元にした画像処理にておこなったが、それ以外の方法でも検出できれば適用できる。また、再生装置本体に図示しないボリューム等の入力装置が搭載されており、観察者自らが調整するようにしても良い。
【０２０４】
第十七の実施例として、クリスタルガラスの置物の例を図５０、図５１に示すデスクトップ照明装置１１００を用いて説明する。表面にホログラム１１０２が貼付されたガラス１１０１は、ガラス支持体１１０８によってテーブルなどの上に置くことができる構造となっている。ホログラムの観察者側下方には、ホログラムを所定の照明するためのＬＥＤ１１０４が１５個、２列で円弧上に保持されていて、それぞれホログラムのほぼ中央を向くようになっている。これはフレキシブル基板１１０９にホログラムが半田付けで固定されており、そのフレキシブル基板が、２枚のＬＥＤ基板保持体に形成されたスリット部に嵌合されるため、精度も良く、簡便に固定できている。ＬＥＤを２列に配置した理由は、ホログラムの再生輝度を高めるためである。通常、ホログラムを複数の光源で同時照明するとそれぞれの再生像が重なり多重像でぼやける原因となるが、横方向に視差をもつホログラフィックステレオグラムの照明には視差と直交する方向に並べる分には多重像にはならない。画質を劣化させずに輝度を上げることに寄与できるため、この例のように２列、またはそれ以上の複数列で同時照明することが効果的である。ガラスの観察者とは反対側には、半透明のアクリル板を背面化粧板として配しており、ガラス支持体１１０８の内部に配された背面化粧板用の照明１１０６により装飾効果の照明がなされる。
【０２０５】
第十八の実施例として、図５２に示すようなパチンコ遊技機１２００について説明する。パチンコ遊技機１２００は、図示しない多数の釘が植設された遊技盤１２０１を備え、前面の開口はガラス板１２０３により覆われている。遊技盤１２０１の中央には、パチンコ機のゲームに関連する数字やマーク等の可変の画像情報を表示する液晶などによる表示装置１２０４が設けられている。液晶表示装置１２０４の手前、即ち遊技者側には、透明な基材のホログラムが配されており、遊技中、例えば「大当たり」状態になったときなどに、所定の位置に設置された発光ダイオード（ＬＥＤ）１２０５がホログラムを照射することにより、記録済のホログラムから立体像が浮かび上がる。所定の位置とは斜め上方でも良いが、上方には遊技場の照明などが多く、そこからの照明光により、意図しないホログラム像が再生されてしまうことを避けるため、ここでは観察者の目線よりは下方から照射するホログラムを設置している。好ましくは、観察者に対して下方４０度から８０度の間の特定の角度を保つようにした。
【０２０６】
基材が透明であると、あたかも何もなかったところに立体像が浮かび上がることになるので演出効果は上がる。遊技盤１２０１にはホログラムを照射しないが演出的効果を出すために、拡散体を照明するＬＥＤ１２０６が配されているが、それらはあくまでも拡散体を照明するものであって、ホログラムには照明しないような位置にあり、ホログラムを照明し再生する場合のホログラムの回折光強度に比較し、１／１０以下の強度の像しか再生しかしないようになっている。
【０２０７】
ホログラム像は照明により再生されるが、基材が透明である場合、背景が明るい場合は、ホログラムのコントラストが著しく悪くなる。ホログラム像が黒をだしていても、背景の液晶ディスプレイに白が光っていると、ホログラム像が埋もれてしまうからである。よって、ホログラム像を積極的には再生させず、液晶表示装置１２０４のみを見せる第一の状態とし、ホログラム像を積極的に再生させる第二の状態とを切り替えて表示することにし、第一の状態と第二の状態とでは液晶表示装置１２０４に表示する画像を変化させた。ホログラム像をコントラスト良く再生させる第二の状態のときには、背景となる液晶表示装置の表示内容を暗くする、または補色を表示するようにする。望ましくは、ホログラム像を表示する際には、遊技盤のほぼ中央から遊技盤の法線方向に観察者の目があると仮定して、その目の位置とホログラム面を結ぶ領域の後方にあたる液晶ディスプレイの部分は、最高輝度の１／３以下の輝度に抑えた。ホログラム像が赤を表示している部分の背景にはシアン、緑を表示している部分の背景にはマゼンタ、青を表示している部分の背景にはイエローを液晶表示装置に表示していると、ホログラム像はクリアに見えたので、補色を背景に表示する効果はある。
【０２０８】
ホログラム媒体は、基材が透明であっても、ホログラム記録材料の増感剤色素が残っていたりすると、若干の着色が残っている場合がある。また、リップマン型ホログラムの場合、所定の角度から照明されない限りホログラム像の回折はなされないが、干渉縞は形成されているのでなんらかの不均一性や材料の濁りなどが見えることがあり、第一の状態で液晶表示装置の表示画質を劣化させる懸念は払拭しきれない。そこで、第一の状態のときには、ホログラム媒体そのものを液晶表示装置１２０４の前面ではない部分に移動させることにした。パチンコ遊技機１２００の例では、ホログラム媒体を無色透明な長尺状フィルムの上に支持し、液晶表示装置１２０４をを挟んで離間するローラー１２０９間に張られている状態で保持し、第一のディスプレイ表示状態ではホログラム媒体を液晶表示装置の前面からは外れる位置にまで移動させ、第二のホログラム再生状態のときのみ、ホログラム媒体を液晶表示装置の前面に移動させるようにした。
【０２０９】
なお、第一の状態でホログラムを見えない場所に隠した上で、第二の状態でホログラムを遊技台内の見える場所に移動させる手段としては、上記のようなローラー間での巻き上げ機構である必要はなく、例えば、ホログラムが１ｍｍ〜５ｍｍくらいのプレート状に形成されており、第一の状態にのみ、そのプレート自体がアクチュエータにより遊技盤背後など、目立たない位置に格納されるようになっていても良い。
【０２１０】
ホログラムと光源が相対的に動くと、観察者にとってはホログラム像が動いて見えるが、上記のようにプレート状ホログラムを移動させるアクチュエータがあれば、ホログラムを照明しながらホログラムを動かすことにより、演出効果を高めることができる。
【０２１１】
さらに、パチンコの遊技者は、ほぼ固定位置からの観察すると想定できるので、音声情報の再生と同期させたり、液晶表示装置に表示する映像とを同期させたりするのも容易である。
【０２１２】
液晶表示装置１２０４正面からの観察は妨げずに、ホログラム１２０２を照射する第二の状態のときに、ホログラムとその照明用光源１２０５とを結ぶ光線が液晶表示装置１２０４の表面に到達しないようにルーバー構造をもった光学部品を該ホログラムと該液晶表示装置の間に配置した。これにより、ホログラム用の照明によって、液晶表示装置が光って見づらくなるようなことはなくなった。
【０２１３】
以上、この発明の第一乃至第十八の実施の形態について具体的に説明したが、この発明は、上述の実施の形態に限定されるものではなく、この発明の技術的思想に基づく各種の変形が可能である。
【０２１４】
例えば、第三の変形例として、基本構成は第三の実施例と同じであるが、導光拡散体を放射状の骨格をもつ、うちわ形状にしてもよい。
【０２１５】
また、例えば光源の電池を交換可能としたり、光源は交換できるようにソケット式にしたりしてもよい。
【０２１６】
また、電池は商品展示したり、店頭のＰＯＰ（Point of purchase advertising）として使ったりする場合は、電池だと長時間の展示で電池を交換しないとならないため、ＡＣアダプタ変圧器を介して、コンセントから電源供給してもよい。
【０２１７】
また、充電池を搭載し、ＡＣ電源やＵＳＢ端子を搭載した上でＰＣ（Personal Computer）などから充電した上で、常時コンセント等につながなくても動作させられるようにしてもよい。さらに、ＵＳＢ端子により、本照明装置から、他の携帯情報端末、スマートフォン、ＰＣなどを充電できる機能を付加しても良い。
【０２１８】
また、太陽電池を内蔵して、乾電池やボタン電池を不要としても良い。
【０２１９】
光源はＬＥＤを例として挙げたが、クリプトン、キセノン、ハロゲン、などのランプ、レーザー、蛍光灯、あるいは、有機ＥＬなどの自発光素子でも良い。第一乃至第三の実施例では、ＬＥＤは、赤、緑、青の３種、一個ずつ内蔵させた例を記したが、白色ＬＥＤ一個でもかまわない。
【０２２０】
光拡散体の基材は、ガラスやレーザー加工性の良いアクリル・キャスト材などが好適であるが、それに限らず、ポリカーボネイト、ポリスチレンなどの高分子樹脂材料であってもよい。また、各種蛍光体、ブラックライトで光る材料などで部分的にでも作られていれば、ＬＥＤの発光波長と、必ずしも同一の色ではない視覚効果を得ることも可能である。
【０２２１】
また、ホログラム支持体に備えられるものは、カード式のものに限定されるものではなく、ホログラムを有し、観察できる状態で保持されるものに適用でき、キーホルダやシールなどであってもよい。
【０２２２】
さらには、上述の実施の形態においては、観察者の意思があれば、自由にホログラムカードなどをホログラム支持体から分離できる例や、再剥離不可能な接着剤や画面テープなどで固着されている例を説明したが、初期には、一枚だけホログラムが再剥離不可能な形で固着されており、観察者の意思により、その上に重ねて別のホログラムを装着できるようにしてもよい。
【０２２３】
複数のホログラムを照明装置に格納できるようにしておき、順次に観察者の意思でホログラム支持部にホログラム媒体を装着して観察するようにしてもよい。
【０２２４】
本照明装置には、集音マイクが内蔵されていても良い。特に、第八の実施例の形状で、音声を集音できれば、カラオケなどのマイクとしても活用可能である。
【０２２５】
本照明装置には、通信機能をもっていても良い。光り方の制御、点灯、点滅、消灯などを外部から制御することもできる。複数の照明装置を同時制御することも可能である。音楽や環境音、様々な演出に合わせて光制御することも可能である。
【０２２６】
本照明装置には、赤外線、超音波、可視光などを利用して周囲温度と温度差のあるものが本照明装置近辺で動いたときに、その温度変化を検知する人感センサーや音に反応するセンサーなどを内蔵し、観察者がいるときだけ、ホログラム観察用の光源が点灯したり、揺動したりし、観察者がいないときには消灯し動きも止めることも可能である。
【０２２７】
本照明装置には、吊り下げやすい鉤形状部品やが付属していたり、貫通穴が加工されていても良い。こうすることにより、クリスマスツリーなどの飾りとしての使用したり、キーホルダーやストラップなどを取り付けたりすることも可能となる。
【図面の簡単な説明】
【０２２８】
【図１】ホログラム用記録媒体の説明に用いる断面図である。
【図２】ホログラム用記録媒体の感光プロセスを説明するための概略図である。
【図３】ホログラフィックステレオグラム作製装置の全体構成を説明する図である。
【図４】ホログラフィックステレオグラム作製装置の光学系を説明する図である。
【図５】第一の実施の形態のペンライトとしての使用状態、及び、ホログラム観察状態での図である。
【図６】第一の実施の形態のホログラム観察を平らな台の上にて行う場合の図である。
【図７】第二の実施の形態にて、手で照明装置を持つ場合の、ペンライトとしての使用状態の図（ａ）と、ホログラム観察状態での図（ｂ）である。
【図８】ホログラム媒体の一例の層構成を示す断面図である。
【図９】ホログラム媒体の一例として、観察者側から見た図である。
【図１０】第一の実施の形態と、第二の実施の形態において、ホログラム媒体が装着される向きを示す図である。
【図１１】ホログラムの向き（表裏、左右、上下）の重要性を示す図である。
【図１２】ホログラムの画像の上下を示すマークの一例の図である。
【図１３】ホログラムの照明入射光の向きを示すマークの一例の図である。
【図１４】ホログラムの照明入射光の向きに加えて角度や透過・反射区別を示すマークの一例の図である。
【図１５】第二の実施形態のホログラム観察を平らな台の上にて行う場合の図である。
【図１６】第三の実施の形態のペンライトとしての使用状態、及び、ホログラム観察状態での図である。
【図１７】第四の実施の形態のペンライトとしての使用状態、ホログラム観察状態、及び、ホログラム観察を平らな台の上にて行う場合の図である。
【図１８−ａ】第四の実施の形態における光源の輝度制御を示す図である。
【図１８−ｂ】第四の実施の形態における光源の輝度制御を示す図である。
【図１８−ｃ】第四の実施の形態における光源の輝度制御を示す図である。
【図１９】第五の実施の形態のホログラム観察状態での図である。
【図２０】第六の実施の形態のホログラム観察状態での図である。
【図２１】第七の実施の形態のホログラム観察状態での図である。
【図２２】第八の実施の形態のホログラム観察状態での図である。
【図２３】第八の実施の形態のホログラム観察状態で、傾けた場合の図である。
【図２４】第九の実施の形態のホログラム観察状態での図である。
【図２５】第十の実施の形態のホログラム観察状態での図である。
【図２６】第十一の実施の形態のホログラム観察状態での図である。
【図２７】ホログラム媒体の一例の層構成を示す断面図である。
【図２８】第十二の実施の形態のホログラム照明装置の図である。
【図２９】第十二の実施の形態のホログラム照明装置のうち、置台部分からペンライト状装置を取り外した観察状態での図である。
【図３０】第十二の実施の形態のホログラム照明装置のペンライト筐体を変更し従来型のペンライトとして使用できることを示す図である。
【図３１】第十二の実施の形態のホログラム照明装置のうち、置台部分のみを示す図である。
【図３２】第十二の実施の形態のホログラム照明装置で、置台に置いて観察する状態での図である。
【図３３】第十三の実施の形態のホログラム照明装置の例を説明する図である。
【図３４】第十四の実施の形態のホログラム観察状態での図である。
【図３５】第十五の実施の形態のホログラム照明装置４００の図である。
【図３６】第十五の実施の形態のホログラム照明装置４００の中に装着されるキャップ部の図である。
【図３７】第十五の実施の形態のホログラム照明装置４００の中にキャップを装着する概念を示す斜視図である。
【図３８】第十五の実施の形態のホログラム照明装置４００の変形例を示す図である。
【図３９】第十五の実施の形態のホログラム照明装置の変形例を示す図である。
【図４０】第十五の実施の形態のホログラム照明装置の変形例を示す図である。
【図４１】第十五の実施の形態のホログラム照明装置の変形例を示す図である。
【図４２】第十五の実施の形態のホログラム照明装置の変形例を示す図である。
【図４３】第十五の実施の形態のホログラム照明装置の変形例で、反射鏡を有しないタイプを示す図である。
【図４４】第十五の実施の形態のホログラム照明装置の変形例で、反射鏡を有しないタイプを示す図である。
【図４５】ホログラム照明装置、または、ホログラム媒体に付されるシンボルマークの例を示す図である。
【図４６】ホログラム照明装置、または、ホログラム媒体に付されるシンボルマークの例を示す図である。
【図４７】第十六の実施の形態のホログラム照明装置の例を説明する図である。
【図４８】第十六の実施例において、Ｌ１〜Ｌ７の光源から照明されたときにホログラムの法線方向から見える画像を説明する図である。
【図４９】第十六の実施例において、Ｌ１〜Ｌ７の光源から照明されたときにホログラムの法線方向から見える画像を説明する図である。
【図５０】第十七の実施の形態のホログラム照明装置の例を説明する図である。
【図５１】第十七の実施の形態のホログラム照明装置の例を説明する図である。
【図５２】第十八の実施の形態のホログラム照明装置、遊技機の例を説明する図である。
【図５３】揺動装置の機構の一例として、ムーブメント機構の構造を示す図である。
【図５４】揺動装置と組み合わせた照明装置の例を説明する図である。
【図５５】揺動装置と組み合わせた照明装置の例を説明する図である。
【符号の説明】
【０２２９】
３・・・・ホログラム用記録媒体
４・・・・ベースフィルム
５・・・・フォトポリマ層
１０・・・ホログラフィックステレオグラム作製装置
５００: ペンライト
５０: 光源支持体
５１: 導光拡散体
５２: 拡散部
５３: ヒンジ
５４ａ、５４ｂ, ５４ｃ: 光源
５５: 電池
５６: ストッパーａ
５７: ストッパーｂ
５８: ホログラム
５９: クリップ
６０: ブラケット部
６１: 光導入端面
６２: フレーム枠
６３: 円柱状凸部
６４:  位置決め穴
６５:  穴
７０: ホログラム媒体
７１: ホログラム記録層
７２: 基材層Ａ
７３: 基材層Ｂ
７４: 枠Ａ
７５: 枠Ｂ
７６: 接着剤
１５０: 導光拡散体用光源支持体
１５２: ホログラム照明用光源支持体
１５３: ヒンジ
１５４ａ、１５４ｂ、 １５４ｃ: 導光拡散体用光源
１５４ｄ: ホログラム照明用光源
２００：揺動装置付ホログラム照明
２１４：ホログラム
２２１、２２２：重り
２２３、２２４：軸受
２２５：接地部
２５０：ホログラム照明装置
２５１：ホログラム
２５２：ガラス板
２５３：時計
２５４：アクリル板
２５５〜２６１：ＬＥＤ
３１０：揺動装置
３１４：ホログラム
３５０：ペンライト
３５５：電池
３６０：筐体・光拡散部
３６５：スイッチ
３６９：取手部
３７０：光拡散体
３７３：筐体前面・透明部
３７４：ＬＥＤ
３７５：プリズムシート
３７６：反射鏡
３７７：レンズ
３７８：遮蔽板
３８０：円筒状プラスチック
３８１：拡散シート
３９０：下部ピボット
３９１：上部ピボット
３９２：置台支持部
３９３、３９４：重り
３９５、３９６：電磁石コイル
３９７：置台接地部
４００：ペンライト
４１０：手持ち部
４２０：透明円筒
４２１：穴
４３０：拡散シート
４３２、４３３：カラー
４４０：キャップ
４４１：下穴
４５０：反射鏡用スロット
４５５：反射鏡
４６０：ホログラム用スロット
４６５：ホログラム
４６９、４７０：遮蔽部材
４７１：ＬＥＤ
４７２：指向角制御レンズ
４８０、４８１：偏光板
４９０：回折方向
４９１：正反射方向
６００：ペンライト
６１０：透明中空体
６１１：装飾拡散部
６１２：光導入部
６１３：ミラー
６１４：ホログラム保持部
６１５：ホログラム保持開口部
６１６：遮光体
６１７：ホログラムガイド
６１８：ストッパー
６１９：取手部
６２０：光学的開口部
６５５：電池
６６５：スイッチ
７００：ペンライト
７１０：筐体
７１３：ミラー
７１４：ホログラム貼付部
７１９：取手部
７２０：光学的開口部
７２１：光拡散体
７５０：ペンライト
７６０：筐体
７６４：ホログラム貼付部
７６９：取手部
７７０：光拡散体
７７１：文字部
７７２：光拡散体内壁
７７３：筐体前面
７７４：ＬＥＤ
８００：ペンライト
８０７：ヒンジ
８０８：液体
８０９：透明中空球体Ａ
８１０：透明中空球体Ｂ
８１１：装飾拡散体片
８１２：錘
８１３：ＬＥＤ
８１４：ホログラム保持部
８１５：ホログラム
８１９：取手部
８２０：液体砂時計付きホログラム
８２１：置き台
８２２：フランジ部
８２３：切欠き部
８２４：ガイド
８５０：円柱状照明装置
８５１：円柱状筐体
８５２：ホログラム
８５３：光拡散体
８５４：ホログラム照明用ＬＥＤ
８５５：光拡散体照明用ＬＥＤ
８５６：電池
８６５：スイッチ
９００：ペンライト
９５０：光源支持体
９５１：導光拡散体
９５５：電池収納部
９６０：ブラケット部
９６５：スイッチ
９６９：机
９８０：光源移動型ペンライト
９８１：スライドレール
９８２：スライドユニット
１０００：箱型ホログラム再生装置
１００１：蓋
１００２：ホログラム
１００３：本体
１００４：スピーカー
１００５：マイクロスイッチ
１００６：電池
１００７：基板
１００８：表示シンボルマーク
１１００：デスクトップ照明装置
１１０１：ガラス
１１０２：ホログラム
１１０３：前面化粧板
１１０４：ホログラム照明ＬＥＤ
１１０５：背面化粧板
１１０６：背面化粧板用照明
１１０７：スイッチ
１１０８：ガラス支持体
１１０９：ＬＥＤ基板
１１１０：ＬＥＤ基板保持体
１２００：パチンコ遊技機
１２０１：遊技盤
１２０２：ホログラム
１２０３：ガラス板
１２０４：液晶表示装置
１２０５：ホログラム用ＬＥＤ
１２０６：拡散体照明用ＬＥＤ
１２０８：ホログラム支持体フィルム
１２０９：支持体フィルム駆動ローラ
１３００：ムーブメント機構
１３０１：回転テーブル
１３０２：電磁ムーブメント外装部
１３０３：ストッパー支持体
１３０４：選択穴
１３０５：ストッパーａ
１３０６：ストッパーｂ
１３０７：テーブル側突起物
１３０８：テーブル側軸
１３１０：ディスプレイＡ
１３１１：ホログラム
１３１２：ホログラム台紙
１３１３：ＬＥＤ
１３１４：ＬＥＤ支持体
１３１５：ホログラム支持体
１３２０：ディスプレイＢ
１３２１：ガラス
１３２２：ＬＥＤ
１３２３：ＬＥＤ支持アーム
１３２４：バランサー
１３２５：装飾用ＬＥＤ
１３２６：回転軸
Ｌ１〜Ｌ７：光源
ＬＸ１、ＬＸ２：ＬＥＤ
【図１】
2014146022.tif 000002
【図２】
2014146022.tif 000003
【図３】
2014146022.tif 000004
【図４】
2014146022.tif 000005
【図５】
2014146022.tif 000006
【図６】
2014146022.tif 000007
【図７】
2014146022.tif 000008
【図８】
2014146022.tif 000009
【図９】
2014146022.tif 000010
【図１０】
2014146022.tif 000011
【図１１】
2014146022.tif 000012
【図１２】
2014146022.tif 000013
【図１３】
2014146022.tif 000014
【図１４】
2014146022.tif 000015
【図１５】
2014146022.tif 000016
【図１６】
2014146022.tif 000017
【図１７】
2014146022.tif 000018
【図１８−ａ】
2014146022.tif 000019
【図１８−ｂ】
2014146022.tif 000020
【図１８−ｃ】
2014146022.tif 000021
【図１９】
2014146022.tif 000022
【図２０】
2014146022.tif 000023
【図２１】
2014146022.tif 000024
【図２２】
2014146022.tif 000025
【図２３】
2014146022.tif 000026
【図２４】
2014146022.tif 000027
【図２５】
2014146022.tif 000028
【図２６】
2014146022.tif 000029
【図２７】
2014146022.tif 000030
【図２８】
2014146022.tif 000031
【図２９】
2014146022.tif 000032
【図３０】
2014146022.tif 000033
【図３１】
2014146022.tif 000034
【図３２】
2014146022.tif 000035
【図３３】
2014146022.tif 000036
【図３４】
2014146022.tif 000037
【図３５】
2014146022.tif 000038
【図３６】
2014146022.tif 000039
【図３７】
2014146022.tif 000040
【図３８】
2014146022.tif 000041
【図３９】
2014146022.tif 000042
【図４０】
2014146022.tif 000043
【図４１】
2014146022.tif 000044
【図４２】
2014146022.tif 000045
【図４３】
2014146022.tif 000046
【図４４】
2014146022.tif 000047
【図４５】
2014146022.tif 000048
【図４６】
2014146022.tif 000049
【図４７】
2014146022.tif 000050
【図４８】
2014146022.tif 000051
【図４９】
2014146022.tif 000052
【図５０】
2014146022.tif 000053
【図５１】
2014146022.tif 000054
【図５２】
2014146022.tif 000055
【図５３】
2014146022.tif 000056
【図５４】
2014146022.tif 000057
【図５５】
2014146022.tif 000058